(57)【要約】      （修正有）【課題】既存蒸気タービンは仕事率が白金球仕事率の１／３．６万等僅少で更に静翼半分で堰き止め出力を０に近付け更に海水温度を７度上昇して人類を絶滅する危険がある。【解決手段】横型全動翼比重大物質重力太陽熱タービン８Ｐ駆動、大気圧同速度同容積仕事率最高を既存蒸気タービンの３．６万倍白金球仕事率にし、１〜複数段熱ポンプで太陽光加熱空気を圧縮高温にして太陽光加熱別空気を加熱圧縮熱回収する冷熱質量増大＋高圧温熱を温熱室に＋冷熱を冷熱室に分割保存使用し、例えば発電機や船舶を駆動の過程で自然現象を高速化人類の食物を増大し海水温度７度上昇阻止人類絶滅を阻止して、太陽熱重力飛行機類駆動では既存航空機最高飛行高度付近からの冷熱に燃料噴射燃焼超高圧ロケット噴射にし、大気中は燃料費０飛行狙い等宇宙到達費用を僅少として、宇宙飛行全盛地球上何処でも日帰り旅行等にする各種エネルギ保存サイクル合体機関。【選択図】図１
2012189038.tif 000002
【特許請求の範囲】
【請求項１】
仕事率を既存蒸気タービンの３．６万倍白金球仕事率に近付け環状多数直線長大タービン翼（８ｃ）の横型全動翼比重大物質重力タービン（８Ｐ）を、１〜１２０段等比重大物質（２Ｅ）の落差を無制限として発電、電気＋冷熱＋温熱供給設備具備する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２】
仕事率を既存蒸気タービンの３．６万倍白金球仕事率に近付け環状多数直線長大タービン翼（８ｃ）の横型全動翼比重大物質重力タービン（８Ｐ）駆動にして、１〜複数段熱ポンプ（１Ｇ）１〜複数段圧縮熱回収器（２Ｃ）で冷熱製造量増大して冷熱圧力を上昇、電気＋液体冷熱＋過熱蒸気温熱供給設備具備電気＋温熱＋冷熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３】
仕事率を既存蒸気タービンの３．６万倍白金球仕事率に近付け環状多数直線長大タービン翼（８ｃ）の横型全動翼比重大物質重力タービン（８Ｐ）で発電電気駆動にして、１〜複数段熱ポンプ（１Ｇ）１〜複数段圧縮熱回収器（２Ｃ）で冷熱製造量増大して冷熱圧力を上昇、電気＋冷熱＋温熱供給設備具備電気＋温熱＋冷熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４】
仕事率を既存蒸気タービンの３．６万倍白金球仕事率に近付け環状多数直線長大タービン翼（８ｃ）の横型全動翼比重大物質重力太陽熱タービン（８Ｐ）で発電電気駆動や（８Ｐ）駆動にして、１段熱ポンプ（１Ｇ）で温熱＋冷熱製造量増大して２〜複数段熱ポンプ（１Ｇ）で冷熱圧力を更に上昇発電電気＋冷熱＋温熱供給設備具備電気＋温熱＋冷熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５】
仕事率を既存蒸気タービンの３．６万倍白金球仕事率に近付け環状多数直線長大タービン翼（８ｃ）の横型全動翼比重大物質重力太陽熱タービン（８Ｐ）と電気＋冷熱＋温熱供給設備より受給してプロペラ（７Ａ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６】
仕事率を既存蒸気タービンの３．６万倍白金球仕事率に近付け環状多数直線長大タービン翼（８ｃ）の横型全動翼比重大物質重力太陽熱タービン（８Ｐ）と電気＋冷熱＋温熱供給設備より受給して回転翼（７Ｂ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７】
仕事率を既存蒸気タービンの３．６万倍白金球仕事率に近付け環状多数直線長大タービン翼（８ｃ）の横型全動翼比重大物質重力タービン（８Ｐ）と電気＋冷熱＋温熱供給設備より受給してスクリュー（７Ｃ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、空気吸引噴射する合体機関噴射部（７８Ａ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、空気吸引流複数か所にも燃料噴射燃焼噴射して、空気吸引噴射する合体機関噴射部（７８Ｂ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部（７８Ｖ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
体機関。
【請求項１１】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、空気吸引噴射する合体機関噴射部（７８Ｗ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、空気吸引噴射して水を吸引噴射するウォータージェット（７９Ｓ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット（７９Ｔ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、水を吸引噴射するウォータージェット（７９Ｕ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、水を吸引噴射するウォータージェット（７９Ｘ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、空気吸引噴射して水を吸引噴射するウォータージェット（７９Ｙ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット（７９Ｚ）駆動する移動手段とした、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８】
仕事率を既存蒸気タービンの３．６万倍白金球仕事率に近付け環状多数直線長大タービン翼（８ｃ）の横型全動翼比重大物質重力タービン（８Ｐ）と電気＋冷熱＋温熱供給設備より受給して車両類を駆動する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９】
仕事率を既存蒸気タービンの３．６万倍白金球仕事率に近付け環状多数直線長大タービン翼（８ｃ）の横型全動翼比重大物質重力太陽熱タービン（８Ｐ）と電気＋冷熱＋温熱供給設備より受給して車両類を駆動する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種熱エネルギは太陽光加熱器で太陽光加熱空気として１〜複数段熱ポンプで圧縮高圧大各種エネルギ保存サイクル合体機関及び合体方法。
【請求項２０】
仕事率を既存蒸気タービンの３．６万倍白金球仕事率に近付け環状多数直線長大タービン翼（８ｃ）の横型全動翼比重大物質重力タービン（８Ｐ）と電気＋冷熱＋温熱供給設備より受給して圧力エンジン＋蓄電池で自動車類を駆動する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２１】
仕事率を既存蒸気タービンの３．６万倍白金球仕事率に近付け環状多数直線長大タービン翼（８ｃ）の横型全動翼比重大物質重力太陽熱タービン（８Ｐ）と電気＋冷熱＋温熱供給設備より受給して圧力エンジン＋蓄電池で自動車類を駆動する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２２】
仕事率を既存蒸気タービンの３．６万倍白金球仕事率に近付け環状多数直線長大タービン翼（８ｃ）の横型全動翼比重大物質重力タービン（８Ｐ）と電気＋冷熱＋温熱供給設備より受給して船舶類を駆動する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２３】
仕事率を既存蒸気タービンの３．６万倍白金球仕事率に近付け環状多数直線長大タービン翼（８ｃ）の横型全動翼比重大物質重力太陽熱タービン（８Ｐ）と電気＋冷熱＋温熱供給設備より受給して船舶類を駆動する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２４】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、空気吸引噴射する合体機関噴射部（７８Ａ）駆動する各種宇宙往還飛行機類にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２５】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と内周外周から複数回加熱して噴射し、空気吸引流複数か所にも燃料噴射燃焼噴射して、空気吸引噴射する合体機関噴射部（７８Ｂ）駆動する各種宇宙往還飛行機類にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２６】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部（７８Ｖ）駆動する各種宇宙往還飛行機類にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２７】
仕事率を既存蒸気タービンの３．６万倍白金球仕事率に近付け環状多数直線長大タービン翼（８ｃ）の横型全動翼比重大物質重力太陽熱タービン（８Ｐ）と１〜複数段熱ポンプ（１Ｇ）で製造や陸上製造搭載した冷熱に複数回燃料噴射燃焼して温熱を内周と外周と内周外周から複数回加熱して噴射し、空気吸引噴射する合体機関噴射部（７８Ｗ）駆動する各種宇宙往還飛行機類にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２８】
仕事率を既存蒸気タービンの３．６万倍白金球仕事率に近付け環状多数直線長大タービン翼（８ｃ）の横型全動翼比重大物質重力太陽熱タービン（８Ｐ）電気＋冷熱＋温熱供給設備より受給して温熱利用家庭電化全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２９】
仕事率を既存蒸気タービンの３．６万倍白金球仕事率に近付け環状多数直線長大タービン翼（８ｃ）の横型全動翼比重大物質重力太陽熱タービン（８Ｐ）１〜複数段熱ポンプ（１Ｇ）で製造の電気＋冷熱＋温熱供給設備より受給して冷熱（２８ａ）で氷を大量生産する等冷熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３０】
仕事率を既存蒸気タービンの３．６万倍白金球仕事率に近付け環状多数直線長大タービン翼（８ｃ）の横型全動翼比重大物質重力太陽熱タービン（８Ｐ）１〜複数段熱ポンプ（１Ｇ）で製造の電気＋冷熱＋温熱供給設備より受給して温熱（５０）をメタンハイドレートに注入メタンを回収する等温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３１】
仕事率を既存蒸気タービンの３．６万倍白金球仕事率に近付け環状多数直線長大タービン翼（８ｃ）の横型全動翼比重大物質重力太陽熱タービン（８Ｐ）電気＋冷熱＋温熱供給設備より受給して工作機械を駆動する等工場電化全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３２】
仕事率を既存蒸気タービンの３．６万倍白金球仕事率に近付け環状多数直線長大タービン翼（８ｃ）の横型全動翼比重大物質重力タービン（８Ｐ）電気＋冷熱＋温熱供給設備より受給して工作機械を駆動する等工場電化全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３３】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３４】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３５】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３６】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３７】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３８】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項３９】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４０】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４１】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４２】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４３】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４４】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４５】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４６】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４７】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４８】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項４９】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５０】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気駆動の各種移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５１】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して工場電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５２】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して家庭電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５３】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気＋冷熱温熱駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５４】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５５】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５６】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池＋圧力エンジン駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５７】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池駆動移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５８】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池＋冷熱温熱駆動船舶類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項５９】
矩形長レンズ（２ｄ）複数重ねて太陽光を直線状に集めて焦点距離短縮断熱にした太陽光加熱器（２）複数を直角継手で一纏めにした加熱空気を熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気＋冷熱＋温熱供給設備全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６０】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６１】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、水を吸引噴射するウォータージェット７９Ｘにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６２】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６３】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６４】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６５】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６６】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射する合体機関噴射部７８Ａにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６７】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６８】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項６９】
矩形長レンズ（２ｄ）複数重ねて太陽光を直線状に集めて焦点距離短縮断熱にした太陽光加熱器複数を直角継手等で一纏めにした加熱空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７０】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７１】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、水を吸引噴射するウォータージェット７９Ｘにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７２】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７３】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７４】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７５】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７６】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射する合体機関噴射部７８Ａにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７７】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７８】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項７９】
比重大物質上昇装置（２Ｆ）で上昇保存して比重大物質加速器（６Ｗ）水（３Ｅ）圧力で比重利用被覆鋼球（２Ｅ）を噴射重力加速度加速して被覆鋼球（２Ｅ）中核駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８０】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８１】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、水を吸引噴射するウォータージェット７９Ｘにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８２】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、  空気吸引噴射して水を吸引噴射するウォータージェット７９Ｓにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８３】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８４】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８５】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８６】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射する合体機関噴射部７８Ａにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８７】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８８】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項８９】
比重大物質上昇装置（２Ｆ）で上昇保存して比重大物質加速器（６Ｗ）水銀（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９０】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９１】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、水を吸引噴射するウォータージェット７９Ｘにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９２】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９３】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９４】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９５】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９６】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射する合体機関噴射部７８Ａにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９７】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９８】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項９９】
比重大物質上昇装置（２Ｆ）で上昇保存して比重大物質加速器（６Ｗ）低融点合金（３Ｅ）を高圧噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１００】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０１】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０２】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０３】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０４】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気駆動の各種移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０５】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して工場電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０６】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して家庭電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０７】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気＋冷熱温熱駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０８】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１０９】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１０】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池＋圧力エンジン駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１１】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池駆動移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１２】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して蓄電池＋冷熱温熱駆動船舶類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１３】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した冷熱（２８ａ）＋温熱（５０）で駆動の横型全動翼比重大物質重力太陽熱タービン（８Ｐ）と電気＋冷熱＋温熱供給設備より受給して電気＋冷熱＋温熱供給設備全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１４】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１５】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、水を吸引噴射するウォータージェット７９Ｘにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１６】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１７】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１８】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１１９】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２０】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射する合体機関噴射部７８Ａにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２１】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２２】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２３】
矩形長レンズ（２ｄ）複数重ねて太陽光を直線状に集めて焦点距離短縮断熱にした太陽光加熱器複数を直角継手等で一纏めにした加熱空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２４】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２５】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２６】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２７】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２８】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気駆動の各種移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１２９】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して工場電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３０】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して家庭電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３１】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気＋冷熱温熱駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３２】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３３】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３４】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池＋圧力エンジン駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３５】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池駆動移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３６】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池＋冷熱温熱駆動船舶類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３７】
空気を熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気＋冷熱＋温熱供給設備全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３８】
空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１３９】
空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、水を吸引噴射するウォータージェット７９Ｘにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４０】
空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４１】
空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４２】
空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４３】
空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４４】
空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射する合体機関噴射部７８Ａにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４５】
空気を熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４６】
空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４７】
空気を熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４８】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１４９】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５０】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５１】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５２】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５３】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して工場電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５４】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して家庭電化冷熱温熱利用全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５５】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気＋冷熱温熱駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５６】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５７】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池＋圧力エンジン駆動車両類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５８】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池＋圧力エンジン駆動全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１５９】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池駆動移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６０】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して蓄電池＋冷熱温熱駆動船舶類全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６１】
空気を１〜複数段熱ポンプ（１Ｇ）で吸入圧縮熱回収した冷熱（２８ａ）＋温熱（５０）で駆動の横型全動翼比重大物質重力タービン（８Ｐ）と電気＋冷熱＋温熱供給設備より受給して電気＋冷熱＋温熱供給設備全盛にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６２】
空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６３】
空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、水を吸引噴射するウォータージェット７９Ｘにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６４】
空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６５】
空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６６】
空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６７】
空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６８】
空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引噴射する合体機関噴射部７８Ａにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１６９】
空気を１〜複数段熱ポンプ（１Ｇ）で吸入圧縮熱回収した電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７０】
空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７１】
空気を１〜複数段熱ポンプ（１Ｇ）で吸入圧縮熱回収した電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする横型全動翼タービン（８Ｐ）と合体した、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７２】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７３】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７４】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７５】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７６】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７７】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７８】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１７９】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８０】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８１】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して発電手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８２】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して移動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８３】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して船舶類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８４】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）と電気＋冷熱＋温熱供給設備より受給して飛行機類駆動手段にする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８５】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８６】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、水を吸引噴射するウォータージェット７９Ｘにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８７】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８８】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１８９】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９０】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９１】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射する合体機関噴射部７８Ａにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９２】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９３】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９４】
比重大物質上昇装置（２Ｆ）で上昇保存して比重大物質加速器（６Ｗ）水（３Ｅ）圧力で比重大物質（２Ｅ）を噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９５】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９６】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、水を吸引噴射するウォータージェット７９Ｘにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９７】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、  空気吸引噴射して水を吸引噴射するウォータージェット７９Ｓにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９８】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項１９９】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２００】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０１】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射する、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する合体機関噴射部７８Ａにする各種エネルギ保存サイクル合体機関及び合体方法。
【請求項２０２】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０３】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０４】
比重大物質上昇装置（２Ｆ）で上昇保存して比重大物質加速器（６Ｗ）水銀（３Ｅ）圧力で被覆タングステン合金粉末焼結球（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０５】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、水を吸引噴射するウォータージェット７９Ｕにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０６】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、水を吸引噴射するウォータージェット７９Ｘにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０７】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射して水を吸引噴射するウォータージェット７９Ｓにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０８】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２０９】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射して水を吸引噴射するウォータージェット７９Ｙにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２１０】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２１１】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引噴射する合体機関噴射部７８Ａにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２１２】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２１３】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【請求項２１４】
比重大物質上昇装置（２Ｆ）で上昇保存して比重大物質加速器（６Ｗ）低融点合金（３Ｅ）圧力で比重大物質（２Ｅ）を混合噴射重力加速度加速して駆動の横型全動翼比重大物質重力太陽熱タービン（８Ｐ）１〜複数段圧縮熱回収器（２Ｃ）で製造の電気＋冷熱＋温熱供給設備より受給して冷熱に複数回燃料噴射燃焼して温熱を内周と外周と内周外周から複数回加熱して噴射し、空気吸引噴射する合体機関噴射部７８Ｗにする、各種熱エネルギは空気温度として熱ポンプで圧縮高圧の冷熱＋温熱に分割保存使用・５００度以下液体金属使用時は保温保存使用・衝撃エネルギは樹脂被覆を設け作用保存延長にし・重力エネルギは上昇保存使用する各種エネルギ保存サイクル合体機関及び合体方法。
【発明の詳細な説明】
【技術分野】
【０００１】
本発明は理論最良エンジン発明のため色々な実験が必要ですが、既存最良蒸気タービン発電の大気圧同速度同容積仕事率ｋｇ重ｍ／秒が、横型白金球重力タービン８Ｐの１／３．６万と僅少に加えて、蒸気速度を堰止めて仕事皆無静翼を動翼と交互に半分具備して回転出力を０に近付け、発電熱量全部で海水温度を７度上昇海面全部温度上昇して自然現象を不可能にし、上限の無い異常気象を増大１００年前後海水の豪雨等で人類絶滅に近付く危険が大きく、人類絶滅を阻止する技術として、全動翼タービン８必須比重大物質重力タービン８必須とし、大気圧同速度同容積仕事率を、既存蒸気タービン発電の３．６万倍白金球仕事率に近付けた、横型全動翼比重大物質重力太陽熱タービン８Ｐ発電等として、電気駆動１〜複数段熱ポンプ１Ｇで太陽熱加熱等の空気を複数回圧縮複数回高温とし、１〜複数段圧縮熱回収器２Ｃの空気熱交換器２Ｘで太陽光加熱の別空気２８ａで熱回収して、圧縮空気２８ａを増大し、２〜複数段熱ポンプ１Ｇで複数回圧縮して、２〜複数段圧縮熱回収器２Ｃの水熱交換器２Ｙや比重大物質熱交換器２Ｚで複数回熱回収し、高圧の圧縮空気２８ａ冷熱＋過熱蒸気５０温熱に分割保存して、電気＋冷熱＋温熱の供給設備として船舶類や車両類や飛行機類に供給駆動用途無限増大し、限り無く小型簡単可能な各種エネルギ保存サイクル合体機関や合体方法に拡大して、横型全動翼比重大物質重力太陽熱タービン８Ｐ発電や船舶駆動の過程では、自然現象高速化２ａし、海水に窒素や酸素やＣＯ２を冷熱や栄養分で供給微生物や海草類増大して、食物連鎖等で魚類等人類の食料を大増大し、海水温度上昇０ＣＯ２排気０の発電や僅少にする船舶等にして、人類絶滅を阻止する各種エネルギ保存サイクル合体機関や各種エネルギ保存合体方法の技術に関する。
【０００２】
既存ジェット機ガスタービンも蒸気タービンと略同様に、回転出力や噴射圧力を静翼で０側に近付け噴射推進出力を僅少として、空気抵抗０１日に地球を１６周等が可能な宇宙飛行が不可能になるため、比重大物質重力太陽熱発電と同様に、横型全動翼比重大物質重力温熱タービン８Ｐ＋横型全動翼比重大物質重力冷熱タービン８Ｐ駆動とし、３．６万倍仕事率に近付けた重力太陽熱タービン出力駆動発電の電気駆動熱ポンプ１Ｇとして、多数の１〜複数段熱ポンプ１Ｇ熱製造により、２４〜４００ＭＰａ大質量の圧縮空気冷熱２８ａ＋過熱蒸気温熱５０に分割保存や、同様に電気＋冷熱＋温熱の陸上供給設備としても使用簡単小型飛行機等多用途に対応し、合体機関噴射部７８に供給して冷熱２８ａに複数回燃料噴射着火燃焼して、高圧高速燃焼流にして外周や内周の温熱５０を複数回加熱し、大気圧１００度に近付く過熱蒸気温熱５０を複数回１２００度に近付け噴射して、宇宙上昇時にはラムジェットを遥かに超える噴射速度の合体機関噴射部７８とし、既存ジェット機の１００〜２００倍圧力１０倍熱量短時間噴射狙いとして、更に瞬間利用のアフターバーナー燃料噴射燃焼により宇宙到達を確実狙いにし、燃料費０に近い宇宙飛行で１日に地球を１６周する等地球上何処でも日帰り旅行を可能にして、回転出力や噴射推進出力は１０００倍狙い、大気中飛行時には３．６万倍仕事率に近付けた回転出力や噴射推進出力はＣＯ２排気０や僅少狙いとし、各種宇宙往還飛行機類で利益率抜群世界一狙う、各種エネルギ保存サイクル合体機関や各種エネルギ保存合体方法の技術に関する。
【０００３】
既存船舶は蒸気タービンやガスタービンや更に低性能エンジンを使用し、回転出力や噴射推進出力を僅少として、低速移動に膨大な燃料を消費しているため、横型全動翼比重大物質重力太陽熱発電と同様に、横型全動翼比重大物質重力温熱タービン８Ｐ＋横型全動翼比重大物質重力冷熱タービン８Ｐ駆動とし、既存蒸気タービンの３．６万倍仕事率に近付けたタービン８Ｐ発電電気駆動の、１〜複数段熱ポンプ１Ｇ駆動熱製造として、２４〜４００ＭＰａ冷熱２８ａ＋温熱５０に分割保存や、同様に電気＋冷熱＋温熱の陸上供給設備としても使用簡単小型船舶等多用途に対応し、ウォータージェット７９に供給して冷熱２８ａに複数回燃料噴射着火燃焼して、高圧高速燃焼流にして外周や内周の過熱蒸気５０温熱を複数回加熱し、大気圧１００度に近付く過熱蒸気を複数回１２００度に近付けて、噴射圧力を既存ジェット機の１００〜２００倍狙いにして、１０倍熱量噴射狙いのウォータージェット７９とし、噴射推進出力や回転出力は１０００倍狙い１０倍船舶速度滑走出力僅少狙いにして、スクリュー推進時には３．６万倍仕事率に近付けた回転出力によりスクリュー駆動し、ＣＯ２排気０狙いの移動手段で利益率抜群世界一狙う、各種エネルギ保存サイクル合体機関や各種エネルギ保存合体方法の技術に関する。
【背景技術】
【０００４】
洗脳皆無の小学校理科で考えると、既存最良蒸気タービン発電の大気圧同速度同容積仕事率ｋｇ重ｍ／秒が、白金球重力タービン８Ｐ仕事率の１／３．６万と僅少に加えて、蒸気速度を堰止めて仕事皆無の静翼を動翼と交互に半分具備して、回転出力を０側に近付けており、何故全動翼にしないのか大疑問に加えて、発電熱量全部で海水温度を７度上昇して海面全部を温度上昇自然現象不可能にし、上限の無い異常気象を増大１００年前後海水の豪雨等で人類が絶滅に近付く危険を増大中です。緑の地球は奇跡の産物で他の星に近付く危険が大きく、発電所側説明では海水温度上昇が７度以下なら環境に影響皆無としておりますが、例えば海水温度が３０度の海域で７度上昇すると、台風風速が３００ｍ／秒等になり海水の集中豪雨塩の被覆等で人類が絶滅する危険や、海面全部温度上昇して冬場に海面冷却海底に窒素や酸素やＣＯ２等の栄養分を供給していた自然現象を不可能にし、海中微生物植物を激減魚類等人類の海中食物も限り無く激減しており、中国が１０％成長を続けると、海水温度上昇量は１０年で現在の２倍２０年で４倍と加速度的に増大して、最悪予想では台風や季節風や海上竜巻の風速が１００ｍ／秒等となり、海水を上空に吸引海水の集中豪雨として日本の農業や林業が壊滅する等、５０年前後で人類絶滅が急接近するため、手遅れ前に既存技術最悪部分に対応した技術開発が必要。
【０００５】
洗脳皆無の小学校理科で考えると、既存最良蒸気タービン発電の大気圧同速度同容積仕事率ｋｇ重ｍ／秒が、白金球重力タービン８Ｐ仕事率の１／３．６万と僅少に加えて、仕事皆無静翼を動翼と交互に半分具備して回転出力を０に近付けておる。しかし高校や大学では既存エンジンを理論最良エンジンと説明しており、洗脳皆無の小学校理科に戻って理論最良エンジンを考えると、仕事率の単位がｋｇ重ｍ／秒等重量×速度のため、重い物質を高速度にして回転出力発生が理論最良エンジンですが考えた痕跡が皆無という背景がある。そこで例えば全動翼水銀重力太陽熱タービン８Ｐ駆動発電機や飛行機類や船舶類にして、仕事率を３．６万倍に近付けた発電や船舶駆動の過程で自然現象高速化２ａすると、微生物や海草類やサンゴ等を増殖食物連鎖等で魚類等人類の食物を増大し、海水の豪雨阻止し人類絶滅を先送り出来る背景があり。飛行機や船舶の停止中は熱と電気と冷熱の供給設備等で使用すると、稼働率増大革命に出来る背景があり。洗脳で長期間発明を阻止したため、発明運用の過程で燃料費０発電や燃料費僅少で１０倍速度狙いの船舶革命や飛行機革命となって、運用利益率が既存運用利益率の１０倍等膨大となり、世界規模１００％独占した製造運用とし、雇用を増大する雇用増大革命に出来る背景がある。
【０００６】
大気圧同速度同容積仕事率ｋｇ重ｍ／秒を、既存蒸気タービン発電の３．６万倍白金球仕事率に近付ける過程で、液体比重大物質３Ｅの水銀・低融点合金・水等の液体圧力により、金属球や被覆金属球を垂直下方に噴射重力加速度追加すると、低速で落差を増大する入力より重力加速度加速だけで仕事率は大幅に増大し、タービンの大型化多数化＋落差を増大で仕事率を増大できる背景がある。地球での最大加速が重力加速度で無限大に近く、海水温度上昇０やＣＯ２排気０や燃料費０の理論最良エンジン重力太陽熱発電等とし、燃料費０発電電気駆動の１〜複数段熱ポンプ１Ｇで、地球最大熱量の太陽熱や地熱で加熱した空気２８ａを複数回圧縮して、１〜複数段圧縮熱回収器２Ｃで複数回熱回収し、２４〜４００ＭＰａ圧縮空気冷熱２８ａ＋過熱蒸気温熱５０に分割保存して、過熱蒸気５０＋圧縮空気２８ａ比重大物質重力加速で発電機や飛行機や船舶を駆動し、温熱利用全盛や冷熱利用全盛や工場電化全盛や全面電化住宅全盛等として、化石燃料等限りある資源を子孫に残す地球温暖化防止が得られる背景があり。無限大に近い全動翼比重大物質重力太陽熱発電等の蓄電池駆動や電気駆動の、各種車両類全盛や各種自動車類全盛や移動手段全盛等、極端に安価な発電の蓄電池駆動や電気駆動の地球温暖化防止が得られる背景がある。
【先行技術文献】
【特許文献】
【０００７】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００８】
【特許文献２】ＰＣＴ国際出願優先権主張出願等は、特願２００９−０４８８６９号、出願日平成２１年３月３日から特願２０１０−００７８０５号、出願日平成２２年１月１８日まで３２６個の出願があります。
【発明の概要】
【発明が解決しようとする課題】
【０００９】
既存世界の火力原子力発電所では、発電熱量全部で海水温度を摂氏７度上昇海水温度上昇量を１００年で１０００倍等とし、下降気流や上昇気流を限り無く増大して、異常乾燥山火事や砂漠化や集中豪雨や熱波や寒波等を限り無く増大し、日本近海は２０年前後で台風風速や季節風風速を１００ｍ／秒等として、竜巻で海水を上空に吸引海水の集中豪雨等により陸地に塩の被覆を設けて人類陸上食物減少の危険を増大し、冬場に海面冷却海底に栄養分を供給していた自然現象を不可能として、微生物や植物プランクトンや海草類やサンゴ等を激減、食物連鎖により魚類を１／１００等に激減人類の海中食物も限り無く減少し、旱魃や集中豪雨や台風や季節風を１００年で１０倍等に増大して、例えば台風や季節風を３００ｍ／秒等上限の無い異常気象の巨大化とし、海底岩盤膨張地震や津波を巨大化ハイチ超える災害を創造して、人類絶滅の危険を増大のため海水の豪雨等を阻止し、海水温度上昇０等地球温暖化防止して、人類絶滅を先送りする課題がある。又最近の課題は財政赤字国の急増です。最大原因は安価労働コスト国を世界の工場として簡単に利益を得る流行蔓延で、簡単に利益が得られる半面途上国全部が過去の日本のように物真似改良で世界一を競うため、安価優良製品続出して先進国製造設備壊滅財政赤字増大雇用壊滅の危険があり、物真似改良が可能な発明実施は時代遅れと認識し、世界規模１００％独占を永遠に続ける発明品の極秘製造極秘運用として、利益率抜群の世界一にする課題がある。
【課題を解決するための手段】
【００１０】
冷熱＋温熱製造の１〜複数段熱ポンプ１Ｇを、横型全動翼比重大物質重力タービン８Ｐ直接駆動や発電機１電気で駆動し、２４〜４００ＭＰａ冷熱（圧縮空気質量）＋温熱（圧縮空気熱量）を、海水温度上昇０燃料費０ＣＯ２排気０で製造して、温熱＋冷熱で夫々加速駆動の各種横型全動翼比重大物質重力発電や、横型全動翼比重大物質重力太陽熱船舶や横型全動翼比重大物質重力太陽熱飛行機にし、発電や船舶ではＣＯ２を大気で吸入圧縮海底や海中に噴射供給自然現象高速化して、海底や海中に冷熱の酸素や窒素やＣＯ２等で供給し、微生物や植物プランクトンや海草類やサンゴや魚類等を増殖人類の食物を増大して、飛行機はＣＯ２排気０に近い宇宙飛行全盛１日に地球を１６周する等とし、地球上何処でも日帰り旅行や大気中はＣＯ２排気０飛行狙いとして、限りある石油資源等は必要最小限の使用とし、子子孫孫まで残すと共に世界規模１００％独占して極秘製造極秘運用する発電や船舶や飛行機等として、利益率抜群の世界一や新規雇用抜群の世界一にし、旱魃や集中豪雨や台風や季節風や地震津波の巨大化を阻止して、既存世界の１０倍発電量狙いとし、各種横型全動翼比重大物質重力発電全盛にして、各種横型全動翼比重大物質重力発電製造物燃料水駆動の電気駆動や冷熱（液体酸素や液体窒素）駆動にし、各種自動車類全盛や各種船舶類全盛や各種宇宙往還機類全盛にして、地球上何処でも日帰り旅行や全面電化住宅全盛や工場電化全盛や温熱と冷熱利用全盛にし、海水温度上昇０やＣＯ２排気０や燃料費０で発電し、海水の豪雨等を阻止し地球温暖化防止して人類絶滅を先送りする。
【発明の効果】
【００１１】
横型全動翼比重大物質重力タービン８Ｐ駆動にすると、落差を拡大出来る効果が大きく、大気圧同速度同容積仕事率を既存蒸気タービン発電の３．６万倍に近付けて発電する場合に発電量を増大する効果があり。横型全動翼比重大物質重力温熱タービン８Ｐ＋横型全動翼比重大物質重力冷熱タービン８Ｐ駆動にすると、落差制限の場合に仕事率を３．６万倍に近付けて発電量や飛行速度や船舶速度を増大する効果が大きく、燃料消費を０や僅少に出来るため資源を子孫に残す効果が大きく、各種横型全動翼比重大物質重力発電や各種横型全動翼比重大物質重力太陽熱船舶や各種横型全動翼比重大物質重力太陽熱飛行機では、ＣＯ２を大気と共に吸入各種重力タービン８Ｐ駆動し、夫々のタービン駆動や発電機１電力駆動多数の１〜複数段熱ポンプ１Ｇで複数回圧縮して、圧縮熱回収器２Ｃで複数回熱回収２４〜４００ＭＰａ冷熱＋温熱に分割保存使用し、発電機１やスクリュー７Ｃやプロペラ７Ａや回転翼７Ｂは、横型全動翼比重大物質重力温熱タービン８Ｐ＋横型全動翼比重大物質重力冷熱タービン８Ｐ駆動として、過熱蒸気温熱５０＋圧縮空気冷熱２８ａで、ウォータージェット７９や合体機関噴射部７８を駆動するため、同一燃料量１００〜１０００倍回転出力や噴射推進出力狙いとし、海水温度上昇０燃料費０の発電狙いや、燃料費僅少で既存船舶や飛行機の１０倍速度等、世界規模１００％独占して製造運用する発電や船舶や飛行機や自動車等として、先進国用実験最良や利益率抜群の世界一や新規雇用抜群の世界一を狙える効果がある。
【００１２】
緑の地球は奇跡の産物で他の星に近付く危険が大きく、例えば中国が１０％成長を１００年続けると、火力発電や原子力発電により中国近海の海水温度上昇量が１０００倍を超えるため、現在日本のゲリラ豪雨増大が海水の豪雨１０００倍等となり、現在の魚類激減が０に近付く等人類絶滅が１００年以内に急接近する可能性が強く、海水温度上昇０やＣＯ２排気０の発電や燃料費僅少にする船舶では、膨大なＣＯ２を大気と共に吸入圧縮温熱は可能な限り食糧生産や加熱等に使用して、冷熱２８ａの全部を海底や海中に窒素や酸素やＣＯ２等の栄養分として供給海水冷却し、自然現象高速化２ａ水中微生物の食料を増大して、水中微生物のＣＯ２等の消化能力を森林の数万倍狙い等に増大する効果が大きく、植物プランクトンや海草類やサンゴ等を増殖し、食物連鎖で魚類等を増殖人類の海中食物を大増大して、砂漠化や旱魃や集中豪雨や台風や季節風や地震津波等の巨大化を阻止し、海水の豪雨等を阻止して、人類で最も重要な人類絶滅を先送りする効果がある。
【００１３】
各種横型全動翼比重大物質重力太陽熱飛行機では、同一燃料量１００〜１０００倍回転出力や噴射推進出力で宇宙利用全盛を狙う効果があり、例えば噴射推進出力を既存ジェット機の１００倍圧力１０倍熱量噴射短時間１０００倍噴射推進出力狙いとして、大気中は燃料量０のプロペラ飛行や回転翼飛行や噴射推進狙いにし、過熱蒸気膨張速度が真空で最大のため既存宇宙ロケット地上大量噴射は最悪と考え、既存航空機最高飛行高度付近より、２４〜４００ＭＰａ温熱５０＋２４〜４００ＭＰａ冷熱２８ａに複数回燃料噴射着火燃焼噴射のロケット推進にして、スペースシャトルの１０〜２０倍噴射圧力の合体機関噴射部狙いにし、宇宙到達燃料費を打上費用の１／１００万狙いにして、既存世界の移動手段で燃料費が０に近い宇宙利用全盛を狙う効果と、資源を子孫に残す効果がある。
【図面の簡単な説明】
【００１４】
【図１】横型全動翼比重大物質重力タービン８Ｐとタービン翼の説明図（実施例１）
【図２】横型全動翼比重大物質重力温熱タービン８Ｐの説明図（実施例２）
【図３】横型全動翼比重大物質重力冷熱タービン８Ｐの説明図（実施例３）
【図４】太陽光加熱器２の説明図（実施例４）
【図５】スクリュー船舶３９Ｄの説明図（実施例５）
【図６】水吸引７９Ｘスクリュー船舶３９Ｄの説明図（実施例６）
【図７】水吸引７９Ｘ船舶３８Ｃの説明図（実施例７）
【図８】空気吸引７９Ｚ船舶３８Ｂの説明図（実施例８）
【図９】空気吸引７９Ｚスクリュー船舶３９Ｅの説明図（実施例９）
【図１０】合体機関噴射部７８Ｂ太陽熱重力飛行機３９Ａの説明図（実施例１０）
【図１１】合体機関噴射部７８Ｂ太陽熱重力回転飛行機３９Ｂ説明図（実施例１１）
【図１２】水吸引ウォータージェット７９Ｕの説明図（実施例１２）
【図１３】水吸引ウォータージェット７９Ｘの説明図（実施例１３）
【図１４】空気吸引ウォータージェット７９Ｓの説明図（実施例１４）
【図１５】空気吸引ウォータージェット７９Ｔの説明図（実施例１５）
【図１６】空気吸引ウォータージェット７９Ｙの説明図（実施例１６）
【図１７】空気吸引ウォータージェット７９Ｚの説明図（実施例１7）
【図１８】合体機関噴射部７８Ｗの説明図（実施例１８）
【図１９】合体機関噴射部７８Ｖの説明図（実施例１９）
【図２０】合体機関噴射部７８Ａの説明図（実施例２０）
【図２１】合体機関噴射部７８Ｂの説明図（実施例２１）
【発明を実施するための形態】
【００１５】
発明を実施するための形態が先の出願は次の理論最良エンジン発明が目的のため、自分だけ理解可能で第三者理解不可能な極秘でしたが、理論最良エンジンに到達第三者が実験可能な発明の具体化に挑戦します。既存エンジンが洗脳で長期間発明が阻止され、例えば既存最良蒸気タービン発電の大気圧同速度同容積仕事率ｋｇ重ｍ／秒を、白金球仕事率の１／３．６万と僅少にし、静翼を動翼と交互に設けて堰き止めて回転出力を０に近付け、蒸気タービン発電の駆動熱量全部で海水温度７度上昇魚類激減、海底岩盤を膨張地震や津波を巨大化し、２０年前後で日本近海の台風や季節風の上昇気流を巨大化１００ｍ／秒等にして、海水を上空に吸引海水の豪雨が予想される等、１００年前後で陸地に塩の被覆を設けて食糧激減人類絶滅が急接近する危険があります。即ち既存技術の致命的欠点多数で発明が膨大になり過ぎるため、発明を符号の説明に記載すると共に、先の出願で再三説明した部分は省略し、竪型全動翼タービン以外３種類は横軸タービンで既存タービンに近いため、横型全動翼比重大物質重力タービン８Ｐ実施例で代用説明して、直列全動翼比重大物質重力タービン８Ｐ・食込全動翼比重大物質重力タービン８Ｐの代替説明にし、発電用比重大物質は資源量最大の水５２ａ加速被覆鋼球で代替説明して、船舶用比重大物質は液体低融点合金３Ｅ駆動で代替説明し、飛行機用比重大物質は水銀３Ｅ圧力加速タングステン合金焼結球２Ｅで代替説明する等、常識を省略した発明の具体化に挑戦します。
【実施例１】
【００１６】
図１横型全動翼比重大物質重力タービン８Ｐ発電は水３Ｅ圧力で被覆鋼球加速で説明して、ドラムの中心に水平軸１６Ａ外周環状に同一形状直線長大多数のタービン翼８ｃを具備し、３．６万倍仕事率駆動タービン翼は先行技術が無く既存断面より実験最良に移行として、プラスチックや軽合金や超硬合金で可能な限り軽量化し、長大多数横型タービン翼８ｃ１〜多段タービン８Ｐを対向平行に具備して、大径等重力加速部１ｇを長大最適とし、水３Ｅ圧力被覆鋼球加速で多段タービン８Ｐの出力を増大する構成にして、比重大物質上昇装置２Ｆにより、比重大物質被覆鋼球２Ｅ液体比重大物質水３Ｅを最上部に上昇保存して、比重大物質加速機６Ｗの水３Ｅ圧力で被覆鋼球２Ｅを比重利用垂直下方に混合噴射し、大部分を被覆鋼球の真空加速で３．６万倍仕事率に近付け、最上部の１段タービン８Ｐ駆動２段重力加速部１ｇ真空加速として、２段タービン８Ｐを駆動する循環にし、重力加速部１ｇにより最適速度タービン８Ｐ駆動として、発電機１多数を駆動する発電とし、大気圧同速度同容積仕事率ｋｇ重ｍ／秒を、既存蒸気タービン発電の３．６万倍白金球仕事率に近付け、被覆鋼球２Ｅの転がり接触中核の回転出力発生として、図２同様に空気抽出室５１Ａを設けて気体専用冷熱冷却乃至水冷却にし、空気抽出器５１で空気を抽出最高真空最大回転出力にして、温熱＋冷熱は常用製造利用して利用後の冷熱２８ａを海洋深層水５２ａに優先混合し、窒素や酸素やＣＯ２を供給微生物や人類の食物等を増大する自然現象高速化２ａにして、海水温度上昇０ＣＯ２排気０燃料費０利益率世界一の発電方法にし、各種エネルギ保存サイクル合体機関及び合体方法にする。
【００１７】
予備理論最良エンジン横型全動翼タービン８Ｐ３種類は、対向全動翼弾み車タービン直列全動翼弾み車タービン食込全動翼弾み車タービンで、回転部分が３種類同じのため、横型全動翼比重大物質重力タービン８Ｐを対向全動翼はずみ車タービンで代用説明し、比重大物質の温熱加速・冷熱加速・真空加速３種類の内、真空加速使用とした横型全動翼比重大物質重力タービン８Ｐを、タービン外箱７７ａ内対向に１〜１２０段等落差使用無制限具備し、タービン翼角度を衝撃に強い角度や比重大物質２Ｅ最適速度使用として、金属球使用では小径球としてシリコン樹脂又はフッ素樹脂の被覆を具備し、タービン翼にもシリコン樹脂又はフッ素樹脂の被覆を選択可能にして、衝撃を低減重力作用時間増大で出力増大し、発電は資源量と表面張力が最大の海洋深層水５２ａ＋被覆鋼球駆動で説明して、水平軸１６Ａに発電機１を具備した横型全動翼比重大物質重力タービン８Ｐ発電とし、多数発電機発電や低速回転発電で３．６万倍を１千倍等にして、既存タービン翼断面の１〜２６倍断面４Ｘ広大タービン翼に噴射し、電気駆動１〜複数段熱ポンプ１Ｇで空気２８ａを複数回吸入圧縮して、圧縮熱回収器２Ｃの空気熱交換器２Ｘや水熱交換器２Ｙで複数回熱回収し、夫々２４〜４００ＭＰａの過熱蒸気温熱５０＋圧縮空気冷熱２８ａに分割保存使用して、太陽熱を回収しない場合は冷熱供給中核の電気＋冷熱＋温熱供給設備で利用し、無限に近い温熱利用全盛や冷熱利用全盛狙う地球温暖化防止発電にします。
【００１８】
発電は比重大物質を被覆鋼球２Ｅ水３Ｅ使用で説明して、海洋深層水５２ａ取水温度１１〜１２℃等を駆動水や冷却水で優先使用し、被覆鋼球の水３Ｅ加速の重力発電にして、電気需要や熱需要は無限に近く発電機１や１〜複数段熱ポンプ１Ｇ駆動とし、横型全動翼比重大物質重力タービン８Ｐ駆動発電機電力駆動の、１段熱ポンプ１Ｇで空気２８ａを吸入圧縮２０〜１００度前後にして、１段圧縮熱回収器２Ｃ空気熱交換器２Ｘで別空気２８ａを加熱し、２０〜１００度前後にして、１段熱ポンプ１Ｇで１００〜５００度等に圧縮し別空気で熱回収を繰り返す熱製造量増大にし、２〜複数段圧縮熱回収器２Ｃ空気熱交換器２Ｘでも別空気２８ａを加熱して、１段熱ポンプ１Ｇで圧縮する圧縮空気冷熱２８ａの質量増大とし、温熱利用全盛＋冷熱利用全盛にして、温熱５０＋冷熱２８ａの大量生産中核にし、２〜複数段熱ポンプ１Ｇ２〜複数段圧縮熱回収器２Ｃで、複数回圧縮複数回熱回収限り無く高圧の超高圧冷熱２８ａにして、２００度前後２４〜４００ＭＰａ圧縮空気２８ａ冷熱を冷熱室３Ａに＋４００度前後２４〜４００ＭＰａ過熱蒸気５０温熱を温熱室３Ｂに分割保存使用し、冷熱供給中核の電気＋冷熱＋温熱供給設備３Ｄにして、例えばメタンハイドレートに受給した温熱５０を注入メタンを回収し、受給した冷熱２８ａで冷却液化メタン利用にして、炊飯器や洗濯乾燥機を温熱５０で駆動する台所革命にし、暖房や冷房等に温熱５０や冷熱２８ａを使用温室栽培や氷製造等にして、無限用途対応の加熱革命や冷却革命可能に具備し、冷熱２８ａ使用後は可能な限り図２図３同様に自然現象高速化２ａする。
【実施例２】
【００１９】
図２の横型全動翼比重大物質重力太陽熱温熱タービン８Ｐ発電は、図１ドラムの中心に水平軸１６Ａ外周環状に同一形状直線長大多数のタービン翼８ｃを具備し、温熱加速・冷熱加速・真空加速３種類の内の比重大物質重力温熱加速使用として、横型全動翼比重大物質重力温熱タービン８Ｐをタービン外箱７７ａ内垂直に１〜複数段に設け、用途に合わせた台数使用にし、比重大物質上昇装置２Ｆにより比重大物質を最上部に上昇保存して、図４太陽光加熱器２やその変形により吸入空気２８ａを太陽光と長レンズ２ｄと熱吸収材２Ｂにより加熱し、電力駆動の１段熱ポンプ１Ｇで吸入圧縮８００度前後にして、１段圧縮熱回収器２Ｃ空気熱交換器２Ｘで太陽光加熱の別空気２８ａを加熱し、５００度前後に加熱１段熱ポンプ１Ｇで１２００度等に圧縮熱回収２００度等として、高圧冷熱２８ａの回収量増大に挑戦し、２〜複数段熱ポンプ１Ｇ２〜複数段圧縮熱回収器２Ｃ選択使用して、複数回圧縮複数回熱回収高圧の冷熱２８ａ＋温熱５０製造にし、２００度前後２４〜４００ＭＰａ圧縮空気２８ａ冷熱を冷熱室３Ａに＋４００度前後２４〜４００ＭＰａ過熱蒸気５０温熱を温熱室３Ｂに分割保存し、比重大物質２Ｅ〜３Ｅを比重大物質加速機６Ｗで噴射して、温熱５０で加速重力加速部１ｇ重力中核加速し、タービン８Ｐ駆動発電機１を駆動して、その電力で１〜複数段熱ポンプ１Ｇ多数を駆動し、大径等のタービン８Ｐで燃料費０の革命発電にする。
【００２０】
横型全動翼比重大物質重力太陽熱温熱タービン８Ｐには、推力や重量を支える推力軸受８０ａや軸受８０や比重大物質を加速する重力加速部１ｇを設け、比重大物質２Ｅ〜３Ｅ最適速度使用とし、シリコン樹脂被覆又はフッ素樹脂被覆の小径鋼球使用やタービン翼選択使用として、軽合金やプラスチックや超硬合金のタービン８Ｐで軽量化にし、１〜複数段圧縮熱回収器２Ｃには、夫々水熱交換器２Ｙや空気熱交換器２Ｘや比重大物質熱交換器２Ｚ選択具備駆動して、太陽熱を種に１〜複数段熱ポンプ１Ｇと１〜複数段圧縮熱回収器２Ｃにより、温熱５０（圧縮空気熱量の過熱蒸気５０）や冷熱２８ａ（圧縮空気質量）を必要量製造分割保存し、過熱蒸気５０温熱加速で横型全動翼比重大物質重力温熱タービン８Ｐを駆動して、冷熱海水混合器２Ｈにより可能な限り海洋深層水５２ａを吸入し、図３冷熱タービン８Ｐ排気の冷熱回収器１０３冷熱回収後の冷熱２８ａ混合で海洋深層水を冷却して、排気室の空気抽出室５１Ａに自然現象高速化２ａ冷熱海水混合器２Ｈを設けて、過熱蒸気５０や気化蒸気のみ冷却復水にする構成にし、空気抽出器５１で僅少空気を抽出最高真空最大回転出力にして、比重大物質２Ｅ〜３Ｅは温度を上昇して図３の冷熱タービン８Ｐ駆動し、比重大物質２Ｅ〜３Ｅの温度を低下して温熱タービン８Ｐを駆動温度上昇する循環にして、自然現象高速化２ａして海底に冷熱２８ａの窒素や酸素やＣＯ２を混合溶解し、海中微生物等魚類や海草類に食物や栄養分を供給増大して、人類の食物を増大する地球温暖化防止する。
【００２１】
発電では被覆鋼球２Ｅを水３Ｅ圧力加速で説明し、濃縮海洋深層水５２ａを駆動水や冷却水として使用努力し、海水に窒素や酸素やＣＯ２等の栄養分を供給自然現象高速化２ａして、微生物や植物プランクトンや海草類やサンゴ等を増殖し、食物連鎖等で魚類等人類の食物を増大して、空気抽出室５１Ａの海洋深層水５２ａ１１〜１２℃冷却で復水にし、空気抽出器５１で最高真空にして、逆浸透膜や電気透析で海洋深層水濃縮・比重や表面張力の増大凍結温度−２１℃等とし、飲料水や乾燥による塩の製造等に参入して、清浄でミネラルが豊富な海洋深層水５２ａ利用の化粧品や飲料や食品製造等とし、比重や表面張力増大の海洋深層水５２ａ＋被覆鋼球で温熱タービン８Ｐを駆動温度上昇して、温度上昇した被覆鋼球や海洋深層水等比重大物質２Ｅ〜３Ｅで、図３冷熱タービン８Ｐを駆動し、比重大物質２Ｅ〜３Ｅを冷却温度低下さして、温熱タービンを駆動温度上昇する循環にし、大気圧同速度同容積仕事率ｋｇ重ｍ／秒を既存蒸気タービン発電の３．６万倍に近付ける、横型全動翼比重大物質重力温熱タービン８Ｐにして、温熱タービン８Ｐのドラム外周多数長大タービン翼８ｃに噴射し、比重大物質２Ｅ〜３Ｅの転がり接触回転出力発生して、重力や太陽熱を最大限利用し、１〜複数段熱ポンプ１Ｇで圧縮１〜複数段圧縮熱回収器２Ｃで熱回収して、冷熱２８ａ＋温熱５０を製造電気＋冷熱＋温熱供給設備としても保存使用し、小型簡単な自動車類駆動や船舶類駆動や飛行機類駆動等、各種移動手段全盛や冷熱＋温熱利用全盛にして、各種エネルギ保存サイクル合体機関や各種合体手段にする。
【実施例３】
【００２２】
図３の横型全動翼比重大物質重力冷熱タービン８Ｐ発電も同様に電気＋冷熱＋温熱供給設備としても使用して、比重大・表面張力大・凍結温度−２１℃等の、濃縮海洋深層水５２ａを駆動水や海洋深層水を冷却水で優先使用し、シリコン樹脂やフッ素樹脂を被覆したタービン翼や小径鋼球等選択使用として、冷熱タービン８Ｐをタービン外箱７７ａ内に垂直に１〜複数段具備し、ドラムの中心に水平軸１６Ａ外周に同一形状長大多数のタービン翼８ｃを具備して、横型全動翼比重大物質重力冷熱タービン８Ｐ駆動の過程では、比重大物質上昇装置２Ｆにより被覆鋼球２Ｅや濃縮海洋深層水３Ｅを最上部に上昇保存し、比重大物質加速機６Ｗの３Ｅ圧力で２Ｅ噴射比重差利用で大部分を被覆鋼球２Ｅ噴射にして、圧縮空気制御弁２４Ａ開放圧縮空気２８ａ２４〜４００ＭＰａ加速重力中核加速にし、重力加速部１ｇによる重力加速度追加加速にして、冷熱タービン８Ｐに噴射駆動し、回転出力発生の過程で被覆鋼球２Ｅ〜水３Ｅを最適温度に冷却冷熱２８ａ温度上昇して、冷熱タービン８Ｐ出力増大し、温熱タービン８Ｐ駆動被覆鋼球２Ｅ〜水３Ｅの温度を上昇して、冷熱タービン８Ｐ駆動冷熱温度上昇出力増大する循環にし、排気の過程の冷熱回収器１０３のアルコール１Ｃで冷熱２８ａを回収して、冷熱５２ｅ回収後の冷熱２８ａを、図２冷熱海水混合器２Ｈで海洋深層水５２ａ冷却水に混合し、温熱タービン８Ｐ排気冷却の過程で自然現象高速化２ａして、海底に窒素や酸素やＣＯ２を等間隔等分散供給し、微生物や植物プランクトンや海草類等を大増殖して、食物連鎖等により魚類やコンブ類等人類の食物を増産する、横型全動翼比重大物質重力冷熱タービン８Ｐ発電方法にする。
【００２３】
横型全動翼比重大物質重力冷熱タービン８Ｐ水平軸１６Ａには発電機１を具備し、電気駆動１〜複数段熱ポンプ１Ｇ駆動圧縮熱回収器２Ｃを具備して、水熱交換器２Ｙや空気熱交換器２Ｘや比重大物質熱交換器２Ｚを選択駆動し、推力や重量を支える推力軸受８０ａや軸受８０や、比重大物質２Ｅ〜３Ｅを加速する重力加速部１ｇを設けて、重力加速部１ｇによる重力加速度追加により比重大物質２Ｅ〜３Ｅの最適速度とし、大気圧同速度同容積仕事率ｋｇ重ｍ／秒を、既存蒸気タービン発電の３．６万倍白金球仕事率に近付けてタービン翼８ｃに噴射し、被覆鋼球２Ｅ転がり接触中核で回転出力の増大として、冷熱タービン８Ｐ出力発生絶対０度に近付く冷熱２８ａを、比重大物質２Ｅ〜３Ｅ回収で温度上昇回転出力増大とし、冷熱回収器１０３で冷熱回収後の圧縮空気冷熱２８ａ排気を合流抽出器５１で吸入冷熱タービン８Ｐ回転出力増大して、図２海洋深層水５２ａ冷却水に合流混合温熱タービン８Ｐ排気を冷却し、温熱タービン８Ｐ真空上昇回転出力増大して、排気過熱蒸気５０を冷却復水とし、海洋深層水３Ｅを逆浸透膜や電気透析で濃縮凍結温度を−２１℃等で使用して、塩や飲料水の製造等各種ビジネス参入とし、清浄でミネラルが豊富な濃縮海洋深層水利用の化粧品や飲料や食品製造等として、冷熱タービン８Ｐ冷熱回収後の排気全部で海洋深層水５２ａ冷却水を冷却し、自然現象高速化２ａする横型全動翼比重大物質重力冷熱タービン８Ｐとして、重力エネルギ利用方法や太陽熱エネルギ利用方法や海水利用方法にする、各種エネルギ保存サイクル合体機関。
【実施例４】
【００２４】
図４の太陽光加熱器２は各種水面を利用し、地球最大熱量の太陽光を矩形長レンズ２ｄ複数重ねて直線状に集めて、焦点距離最短の幅最大狙う長レンズ２ｄで熱吸収材２Ｂ温度を上昇して、空気路２８Ａ空気２８ａ温度を燃料費０で上昇し、１〜複数段熱ポンプ１Ｇで１日に３日分熱製造等として、既存のレンズ断面を直線状に延長矩形の長レンズ２ｄとしてレンズ材質全部を使用可能とし、発泡プラスチック等の断熱材２ｃを半筒形外箱７７Ｂで囲って円筒等の長大な筒を設けて、その中に耐熱材２Ａを設けて太陽熱で高温にする板状熱吸収材２Ｂで空気２８ａを加熱し、上部に複数重ねの幅広長大な長レンズ２ｄを継手８０Ａ＋締付具８０Ｂで密封真空断熱可能に設けて、焦点距離最短幅最大可能に長手方向や直角方向には継手８０Ａで延長可能複数を直角継手で一纏めにし、熱ポンプ１Ｇで複数吸入空気路２８Ａから加熱空気２８ａを吸入制御可能にして、水上で東から西に１８０度回転太陽光と直角にする太陽光加熱器２とし、更に傾斜して太陽光に２方向直角維持回転する装置として、空気２８ａを加熱１〜複数段熱ポンプ１Ｇで吸入圧縮８００〜１２００度等を繰返し、１〜複数段圧縮熱回収器２Ｃで繰返し熱回収繰返し２００度等にするエネルギ保存サイクルにして、太陽光を長レンズ２ｄで集める空気加熱は、発電場所やウォータージェット７９や合体機関噴射部７８等用途に合わせて変形使用し、地熱での空気加熱は発電や熱製造専用で使用し、ウォータージェット７９駆動や合体機関噴射部７８駆動の場合は、タービン排気に変えた噴射推進に発電量に変えた回転出力や冷熱２８ａ＋温熱５０の熱製造にして、各種温熱利用全盛や各種冷熱利用全盛にする。
【実施例５】
【００２５】
図５のスクリュー船舶３９Ｄ等の船舶駆動を液体低融点合金３Ｅ使用で説明、ガリンスタン使用以外ではプラスチックや樹脂被覆の使用を不可とし、図４太陽光加熱器２の変形を具備太陽光加熱の温熱５０＋冷熱２８ａ加速として、横型全動翼比重大物質重力太陽熱タービン８Ｐ複数〜電気＋冷熱＋温熱供給設備から受給の超小型等、冷熱温熱往復機関駆動やタービン８Ｐ駆動でスクリュー７Ｃ駆動とし、３００〜５００℃で安定な液体低融点合金３Ｅを比重大物質加速器６Ｗ噴射して、比重大物質３Ｅ重力過熱蒸気５０加速で温熱タービン８Ｐ駆動、保温装置で３Ｅ温度低下僅少駆動過熱蒸気５０を加熱回転出力増大し、比重大物質熱交換器２Ｚで液体低融点合金３Ｅを５００度等に加熱して、温熱タービン８Ｐを駆動保温装置で３Ｅ温度低下を僅少とし、駆動過熱蒸気５０を加熱回転出力を増大する循環にして、大気圧同速度同容積仕事率ｋｇ重ｍ／秒を既存蒸気タービン発電の３．６万倍に近付ける駆動にし、既存スクリュー船舶の１０００倍回転出力狙い比重大物質３Ｅの低速使用として、騒音を大幅に低減した大型スクリュー駆動や、陸上製造の電気＋冷熱＋温熱供給設備より受給貯蔵出力増大に使用や、超小型簡単船舶を冷熱往復機関や冷熱温熱往復機関やウォータージェット７９で駆動とし、既存船舶の５倍速度等高速狙いにして、タービン排気室には空気抽出室５１Ａを設けて、夫々の合流抽出器５１で温熱タービン排気と冷熱タービン排気をウォータージェット７９に供給船底前部より合流噴射し、船体の摩擦損失を空気や蒸気で低減噴射推進速度追加にして、空気排気圧力や蒸気排気圧力を最低にタービン８Ｐ回転出力最大の最大速度にし、海水に窒素や酸素やＣＯ２を供給する自然現象高速化２ａにして、ＣＯ２排気０燃料費０運用利益率既存船舶の１０倍狙う中大型スクリュウュー船舶３９Ｄにした、各種エネルギ保存サイクル合体機関。
【実施例６】
【００２６】
図６のウォータージェット７９Ｘ水吸引噴射スクリュー船舶３９Ｄ駆動では、図５同様に液体低融点合金３Ｅ使用で説明して、図２図３全動翼比重大物質重力太陽熱タービン８Ｐ必要台数具備し、図４太陽光加熱器２の変形を具備して、太陽光加熱の空気２８ａを１〜複数段熱ポンプ１Ｇと１〜複数段圧縮熱交換器２Ｃで、複数回圧縮高温にして複数回熱回収し、図２と同様に温熱５０を温熱室３Ｂに＋冷熱２８ａを冷熱室３Ａに分割保存や、陸上製造の電気＋冷熱＋温熱供給設備より圧入受給貯蔵出力増大に使用や、超小型簡単船舶を冷熱往復機関や冷熱温熱往復機関やウォータージェット７９Ｘで駆動して、横型全動翼比重大物質重力太陽熱タービン８Ｐでスクリュー７Ｃを駆動し、冷熱に複数回燃料噴射燃焼して温熱を内周と内周外周から複数回加熱噴射するウォータージェット７９Ｘを駆動して、噴射推進の過程では夫々の空気抽出器５１を合流抽出器５１とし、７９Ｘ過熱蒸気高速噴射流最適圧力部に合流吸引温熱タービン出力を増大して、７９Ｘ燃焼ガス高速噴射流最適圧力部に冷熱２８ａを吸引合流冷熱タービン出力を増大し、酸化剤増大ウォータージェット７９Ｘ噴射出力を増大して、温熱タービン８Ｐ冷熱タービン８Ｐ排気圧力を最低に出力最大にし、窒素や酸素やＣＯ２等全部を海水に混合自然現象高速化２ａして、海水中の微生物や海草類に食糧や栄養分を供給し、微生物や海草類を増大ＣＯ２等の消化能力を森林の数万倍狙いとして、ウォータージェット７９Ｘ水吸引噴射推進にし、最も効率良く自然現象高速化２ａ人類の食糧を増大して、既存船舶の１０倍速度狙いとし、各種中大型ウォータージェット７９Ｘスクリュー船舶３９Ｄ全盛狙う、各種エネルギ保存サイクル合体機関にする。
【実施例７】
【００２７】
図７のウォータージェット７９Ｘ水吸引噴射船舶３８Ｃ駆動では、図５同様に液体低融点合金３Ｅ使用とし、図２図３横型全動翼比重大物質重力太陽熱タービン８Ｐ必要台数具備し、図４太陽光加熱器２の変形を具備して、太陽光加熱の空気２８ａを１〜複数段熱ポンプ１Ｇと１〜複数段圧縮熱交換器２Ｃで、複数回圧縮高温にして複数回熱回収し、図２と同様に温熱５０を温熱室３Ｂに＋冷熱２８ａを冷熱室３Ａに分割保存や、陸上製造の電気＋冷熱＋温熱供給設備より圧入受給貯蔵出力増大に使用や、超小型簡単船舶を冷熱往復機関や冷熱温熱往復機関やウォータージェット７９Ｘで駆動して、冷熱に複数回燃料噴射燃焼して温熱を内周と内周外周から複数回加熱して噴射し、水を吸引噴射するウォータージェット７９Ｘを駆動し、噴射推進の過程では、夫々の空気抽出器５１を合流抽出器５１として、７９Ｘ過熱蒸気高速噴射流最適圧力部に合流吸引温熱タービン出力を増大し、７９Ｘ燃焼ガス高速噴射流最適圧力部に冷熱２８ａ吸引合流冷熱タービン出力を増大して、酸化剤増大７９Ｘ噴射出力を増大し、温熱タービン８Ｐ冷熱タービン８Ｐ排気圧力を最低に出力最大にして、窒素や酸素やＣＯ２等全部を海水に混合して自然現象高速化２ａし、海水中の微生物や海草類に食糧や栄養分供給海中資源を増大して、食物連鎖等で魚類やコンブ等人類の食糧を増大し、既存船舶の１０倍速度狙いとして、各種中大型ウォータージェット７９Ｘ水吸引噴射船舶３８Ｃ全盛狙う、各種エネルギ保存サイクル合体機関にする。
【実施例８】
【００２８】
図８のウォータージェット７９Ｚ空気吸引噴射船舶３８Ｂ駆動は、図５同様に液体低融点合金３Ｅ使用として、図２図３横型全動翼比重大物質重力太陽熱タービン８Ｐ必要台数具備し、図４太陽光加熱器２の変形を具備して、太陽光加熱の空気２８ａを１〜複数段熱ポンプ１Ｇと１〜複数段圧縮熱交換器２Ｃで、複数回圧縮高温にして複数回熱回収し、図２と同様に温熱５０を温熱室３Ｂに＋冷熱２８ａを冷熱室３Ａに分割保存や、陸上製造の電気＋冷熱＋温熱供給設備より圧入受給貯蔵出力増大に使用や、超小型簡単船舶を冷熱往復機関や冷熱温熱往復機関やウォータージェット７９Ｘで駆動して、冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚを駆動し、噴射推進の過程では、夫々の空気抽出器５１を合流抽出器５１として、７９Ｚ燃焼ガス高速噴射流最適圧力部に冷熱タービン排気冷熱２８ａを吸引合流し、酸化剤を増大燃料燃焼出力を増大して、冷熱タービン８Ｐ排気圧力を最低に回転出力を最大にし、７９Ｚ過熱蒸気５０高速噴射流最適圧力部に温熱５０を吸引合流推進剤噴射質量を増大して、最高真空にして温熱タービン８Ｐ回転出力を最大に増大し、窒素や酸素やＣＯ２等全部を海水に混合して、自然現象高速化２ａし、海水中の微生物や海草類に食糧や栄養分供給海中資源を増大して、食物連鎖等で魚類やコンブ等人類の食糧を増大し、ＣＯ２の消化能力を森林の数万倍や既存船舶の１０倍速度狙いとして、各種中大型ウォータージェット７９Ｚ空気吸引噴射船舶３８Ｂ全盛狙う、各種エネルギ保存サイクル合体機関にする。
【実施例９】
【００２９】
図９のウォータージェット７９Ｚ空気吸引噴射スクリュー船舶３９Ｅ駆動は、図５同様に液体低融点合金３Ｅ使用として、図２図３横型全動翼比重大物質重力太陽熱タービン８Ｐ必要台数具備し、図４太陽光加熱器２の変形を具備して、太陽光加熱の空気２８ａを１〜複数段熱ポンプ１Ｇと１〜複数段圧縮熱交換器２Ｃで、複数回圧縮高温にし、複数回熱回収して、図２と同様に温熱５０を温熱室３Ｂに＋冷熱２８ａを冷熱室３Ａに分割保存や、陸上製造の電気＋冷熱＋温熱供給設備より圧入受給貯蔵出力増大に使用や、超小型簡単船舶を冷熱往復機関や冷熱温熱往復機関やウォータージェット７９Ｘで駆動し、横型全動翼比重大物質重力太陽熱タービン８Ｐでスクリュー７Ｃを駆動して、冷熱に複数回燃料噴射燃焼して温熱を内周と内周外周から複数回加熱して噴射し、空気吸引流複数か所にも燃料噴射燃焼噴射して、空気吸引噴射して水を吸引噴射するウォータージェット７９Ｚを駆動し、噴射推進の過程では、夫々の空気抽出器５１を合流抽出器５１として、７９Ｚ燃焼ガス高速噴射流最適圧力部に冷熱２８ａを吸引合流し、酸化剤を増大燃料燃焼出力増大して、冷熱タービン８Ｐ排気圧力を最低に回転出力最大にし、７９Ｚ過熱蒸気５０高速噴射流最適圧力部には温熱５０排気を吸引合流推進剤噴射質量を増大して、最高真空にして温熱タービン８Ｐ回転出力を最大にし、窒素や酸素やＣＯ２等全部を海水に混合して、自然現象高速化２ａし、海水中の微生物や海草類に食糧や栄養分供給海中資源を増大して、食物連鎖等で魚類やコンブ等人類の食糧を増大し、ＣＯ２の消化能力を森林の数万倍や既存船舶の１０倍速度狙いとし、各種中大型ウォータージェット７９Ｚ空気吸引噴射スクリュー船舶３９Ｅ全盛狙う、各種エネルギ保存サイクル合体機関にする。
【実施例１０】
【００３０】
図１０の合体機関噴射部７８Ｂ太陽熱重力飛行機３９Ａ駆動は、軽量大出力必須のため液体比重大物質水銀３Ｅ配分使用とし、タングステン合金粉末焼結球２Ｅ使用比重大として水銀３Ｅ圧力混合噴射として、資源量に最適対応し、飛行胴３８ａ垂直翼３８ｄを一体として、図２図３横型全動翼比重大物質重力太陽熱タービン８Ｐ必要台数選択使用し、図４太陽光加熱器２変形の翼前縁心３８ｅ空気吸入口２８Ｂより空気２８ａを吸入の過程で、長レンズ２ｄ熱吸収材２Ｂで構成の吸入空気路２８Ａで太陽光加熱の空気２８ａを加熱して、１〜複数段熱ポンプ１Ｇと１〜複数段圧縮熱交換器２Ｃで複数回圧縮高温にして複数回熱回収し、図２と同様に温熱５０を温熱室３Ｂに＋冷熱２８ａを冷熱室３Ａに分割保存や、陸上製造の電気＋冷熱＋温熱供給設備より圧入受給貯蔵出力増大に使用や、超小型簡単飛行機類を冷熱往復機関や冷熱温熱往復機関やで合体機関噴射部７８Ｂ駆動して、冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂを駆動し、宇宙上昇時には既存ジェット機噴射圧力の１０〜１００倍圧力等で合体機関噴射部７８Ｂに供給し、冷熱２８ａに燃料噴射燃焼外周の過熱蒸気５０を加熱全部で１０倍熱量等を噴射して、噴射推進出力を既存ジェット機の１００〜１０００倍に短時間近付けて宇宙に到達し、各種太陽熱重力飛行機３９Ａ類で燃料費０に近い宇宙利用全盛にして、１日に地球を１６周する等地球上何処でも日帰り旅行を可能にし、大気中を飛行時には燃料費０や僅少として、噴射速度が真空で最大のため、既存宇宙ロケット地上大量噴射を最悪と考え、既存飛行機最高飛行高度で大出力ロケット推進する方法にし、宇宙に到達する。
【００３１】
宇宙到達時には横型全動翼比重大物質重力冷熱タービン８Ｐ駆動の過程で、空気路入口２８Ｂを密閉した空気路２８Ａとして、１２０度前後直射太陽光を長レンズ２ｄ熱吸収材２Ｂで構成の吸入空気路２８Ａで空気２８ａを加熱し、宇宙では最も効率良く温熱５０＋冷熱２８ａを製造貯蔵して、宇宙での噴射推進は過熱蒸気５０による噴射推進とし、宇宙での圧縮空気２８ａは過熱蒸気５０の製造に使用して、タービン８Ｐ１〜複数段熱ポンプ１Ｇ駆動として長距離の宇宙旅行を可能にし、地球帰還時には摩擦熱を含む高圧高温空気２８ａを吸入圧縮熱交換する熱製造にして、圧縮空気２８ａ冷熱で冷熱タービン８Ｐを駆動し、その排気を合流抽出器５１と合体機関噴射部７８Ｂ酸化剤の最適圧力部で吸引合流して、酸化剤で使用すると共に、過熱蒸気５０排気も同様に合流して推進剤噴射質量を増大し、７８Ｂ超高速流速で温熱タービン８Ｐ排気室を最高真空として、酸化剤に燃料噴射着火燃焼噴射推進出力の増大にし、既存ジェット機の１０〜１００倍圧力１／１０噴射熱量１０倍噴射推進出力大型化等として、合体機関噴射部７８Ｂ円筒回転部７７Ｇを１８０度以上回転して、逆噴射や垂直上昇垂直降下を可能にし、宇宙利用やビルの屋上や月面等何処でも飛行場にする方法にして、各種エネルギ保存サイクル合体機関にする。
【実施例１１】
【００３２】
図１１の合体機関噴射部７８Ｂ太陽熱重力回転飛行機３９Ｂ駆動は、軽量大出力必須のため液体比重大物質水銀３Ｅ配分使用とし、タングステン合金粉末焼結球２Ｅ使用比重大として水銀３Ｅ圧力混合噴射として、資源量に最適対応し、噴射推進出力の発生は前記図１０と同様として、図２図３横型全動翼比重大物質重力太陽熱タービン８Ｐ必要台数でプロペラ７Ａ又は回転翼７Ｂ駆動にし、熱製造を図１０と同様に太陽光加熱の空気２８ａを１〜複数段熱ポンプ１Ｇと１〜複数段圧縮熱交換器２Ｃで、複数回圧縮高温にして複数回熱回収し、図２と同様に温熱５０を温熱室３Ｂに＋冷熱２８ａを冷熱室３Ａに分割保存や、陸上製造の電気＋冷熱＋温熱供給設備より圧入受給貯蔵出力増大に使用や、超小型簡単飛行機類を冷熱往復機関や冷熱温熱往復機関やで合体機関噴射部７８Ｂ駆動して、冷熱に複数回燃料噴射燃焼して温熱を内周と内周外周から複数回加熱して噴射し、空気吸引流複数か所にも燃料噴射燃焼噴射して、空気吸引噴射する合体機関噴射部７８Ｂを駆動し、宇宙上昇時には既存ジェット機噴射圧力の１０〜１００倍圧力等で合体機関噴射部７８Ｂに供給し、冷熱２８ａに燃料噴射燃焼外周の過熱蒸気５０を加熱全部で１０倍熱量等を噴射して、噴射推進出力を既存ジェット機の１００〜１０００倍に短時間近付けて宇宙に到達し、各種噴射推進太陽熱重力回転飛行機３９Ｂ類で燃料費０に近い宇宙利用全盛にして、１日に地球を１６周する等地球上何処でも日帰り旅行を可能にし、大気中を飛行時には燃料費０や僅少のプロペラ７Ａ飛行や回転翼７Ｂ飛行として、噴射速度が真空で最大のため既存宇宙ロケット地上大量噴射を最悪と考え、既存飛行機最高飛行高度で大出力ロケット推進宇宙に到達法にする。
【００３３】
宇宙到達時には横型全動翼比重大物質重力冷熱タービン８Ｐ駆動の過程で、空気路入口２８Ｂを密閉した空気路２８Ａとし、図１０と同様に熱回収過熱蒸気推進剤製造を繰り返して、過熱蒸気推進剤を限り無く増大し、宇宙では過熱蒸気５０を最も効率良く製造貯蔵する１〜複数段熱ポンプ１Ｇや太陽光加熱にして、宇宙での噴射推進は過熱蒸気５０による噴射推進とし、宇宙での圧縮空気２８ａは過熱蒸気５０の製造に使用して、タービン８Ｐで１〜複数段熱ポンプ１Ｇ駆動として長距離の宇宙旅行を可能にし、地球帰還時には摩擦熱を含む高圧高温空気２８ａを吸入圧縮熱交換する熱製造にして、圧縮空気２８ａ冷熱で冷熱タービン８Ｐを駆動し、その排気を合流抽出器５１と合体機関噴射部７８Ｂ酸化剤の最適圧力部で吸引合流して、酸化剤で使用すると共に過熱蒸気排気も同様に合流推進剤噴射質量を増大し、７８Ｂ超高速流速で温熱タービン８Ｐ排気室を最高真空として、酸化剤に燃料噴射着火燃焼噴射推進出力の増大にし、既存ジェット機の１０〜１００倍圧力１／１０噴射熱量１０倍噴射推進出力大型化等として、合体機関噴射部７８Ｂ円筒回転部７７Ｇを１８０度以上回転して、逆噴射や垂直上昇垂直降下を可能にし、宇宙利用やビルの屋上や月面等何処でも飛行場にする、各種エネルギ保存サイクル合体機関にする。
【実施例１２】
【００３４】
図１２の水吸引ウォータージェット７９Ｕ船舶駆動は、液体低融点合金３Ｅ駆動横型全動翼比重大物質重力太陽熱タービン８Ｐ駆動の説明とし、陸上製造の電気＋冷熱＋温熱供給設備より液体酸素や液体窒素を冷熱室に液体窒素を温熱室に圧入受給貯蔵出力圧力増大にして、冷熱に複数回燃料噴射燃焼して温熱を内周と外周と内周外周から複数回加熱して噴射し、水を吸引噴射するウォータージェット７９Ｕにして、図２図３冷熱海水混合器２Ｈや冷熱回収器１０３等に変えて７９Ｕ使用し、過熱蒸気制御弁２５を開放分割保存した過熱蒸気５０と受給圧入気化した液体窒素最適量を、燃焼器１Ｙ外周の過熱蒸気溜９５ｃの最上流（図を改良）に供給して、燃焼ガス制御弁２４乃至圧縮空気制御弁２４Ａを開放し、２００度前後２４〜４００ＭＰａ燃焼ガス４９と受給液体酸素と液体窒素最適量を、燃焼ガス溜９５ａ燃焼器１Ｙの最上流に供給と圧入して、燃料制御弁２５ｂ開放図に無い燃料噴射ポンプ１Ｄより、燃料管１ｂの最適温度燃料を燃料噴射ノズル６Ｘより噴射し、燃焼器１Ｙ最上流で着火燃焼外周の過熱蒸気５０や窒素を加熱燃焼温度上昇して、外周過熱蒸気溜９５ｃの４００度前後過熱蒸気５０や窒素を６００〜９００度等に加熱、双方の噴射出力を増大し、燃焼器１Ｙ複数の燃焼ガス噴射ノズル６Ｙを環状に過熱蒸気溜９５ｃ外周に具備して、１段燃焼噴射流の中に夫々環状に具備した複数燃料噴射ノズル６Ｘより、燃料管１ｂ温度管理最適温度の燃料を噴射２段燃焼器複数最適距離環状燃焼にし、過熱蒸気５０を外周より最適距離環状加熱過熱蒸気温度を６００〜９００度等にして、過熱蒸気容積と燃焼ガス容積を最大に増大夫々の噴射速度を最大に増大します。
【００３５】
過熱蒸気５０の大膨張速度とスクラムジェットの高速燃焼を合体したウォータージェット７９Ｕとし、超高圧大質量の冷熱に燃料噴射着火燃焼して、燃料燃焼量の最大と噴射速度の最大にし、２段燃焼で外周から３段燃焼以後も燃料管１ｂの高温燃焼部通過を僅少として、過熱蒸気５０噴射流を内部と外部から燃焼ガス４９で環状加熱し、過熱蒸気５０の最高温度噴射と理論空燃比燃焼可能に４段燃焼等複数燃焼を可能にして、大気圧１００度真空では絶対０度に近付く過熱蒸気温度を、冷熱に複数回燃料噴射燃焼して温熱を内周と外周と内周外周から複数回加熱して噴射し、水を吸引噴射するウォータージェット７９Ｕにして、内部と外部から環状加熱６００〜９００度等とし、過熱蒸気５０容積を水の５０００倍前後にして、過熱蒸気５０噴射出力と燃焼ガス冷熱２８ａ燃焼出力を最大に増大、過熱蒸気噴射ノズル６Ａと燃焼ガス噴射ノズル６Ｙより最大速度噴射し、前方の水を吸引する出力を最大に増大して水を吸引噴射して、過熱蒸気５０と燃焼ガス４９の噴射推進出力を最大に増大し、温熱タービン８Ｐ排気過熱蒸気５０や冷熱タービン８Ｐ排気空気２８ａを合流抽出器５１で昇圧して、７９Ｕ最適圧力部に合流推進剤や酸化剤を増大噴射出力増大し、水吸引噴射ウォータージェット７９Ｕの噴射推進出力を最大にして、海中に窒素や酸素やＣＯ２等全部の栄養分を超高速供給混合溶解する速度を最大にし、自然現象高速化２ａ人類の食糧を増大して、各種中大型船舶速度を既存船舶の１０倍等に増大水抵抗僅少２ｂにして、電気＋冷熱＋温熱供給設備より受給専門の各種小型船舶まで略同様に７９Ｕ使用可能にする。
【実施例１３】
【００３６】
図１３の水吸引ウォータージェット７９Ｘ船舶駆動は、液体低融点合金３Ｅ駆動横型全動翼比重大物質重力太陽熱タービン８Ｐ駆動の説明とし、陸上製造の電気＋冷熱＋温熱供給設備より液体酸素や液体窒素を冷熱室に液体窒素を温熱室に圧入受給貯蔵出力圧力増大にして、冷熱に複数回燃料噴射燃焼し、温熱を内周と内周外周から複数回加熱して噴射して、水を吸引噴射するウォータージェット７９Ｘにし、図２図３冷熱海水混合器２Ｈや冷熱回収器１０３等に変えて７９Ｘ使用して、過熱蒸気制御弁２５を開放分割保存した過熱蒸気５０と受給圧入気化した液体窒素最適量を、燃焼器１Ｙ外周の過熱蒸気溜９５ｃの最上流に供給し、燃焼ガス制御弁２４乃至圧縮空気制御弁２４Ａを開放し、２００度前後２４〜４００ＭＰａ燃焼ガス４９冷熱２８ａを燃焼ガス溜９５ａ燃焼器１Ｙの最上流に供給して、燃料制御弁２５ｂ開放図に無い燃料噴射ポンプ１Ｄより燃料管１ｂ燃料を燃料噴射ノズル６Ｘより噴射し、燃焼器１Ｙ最上流で着火燃焼外周の過熱蒸気５０や窒素を加熱燃焼温度を加熱分以上等上昇して、外周過熱蒸気溜９５ｃの過熱蒸気５０や窒素を６００〜９００度等に加熱双方の噴射出力を増大し、燃焼器１Ｙ複数の燃焼ガス噴射ノズル６Ｙを環状に過熱蒸気溜９５ｃ内に環状具備して、１段燃焼噴射流の中に夫々の燃料噴射ノズル６Ｘより、燃料噴射２段燃焼器や３段燃焼器以後複数段燃焼器最適距離環状燃焼にし、２段燃焼以後は燃料管１ｂの燃料温度最適噴射を可能に具備して、燃料噴射燃焼理論空燃比燃焼を可能にします。
【００３７】
大気中１００度真空中絶対０度に近付く過熱蒸気５０温熱を，冷熱に複数回燃料噴射燃焼して温熱を内周と内周外周から複数回加熱して噴射して、水を吸引噴射するウォータージェット７９Ｘにし、外周や内周より最適距離環状加熱して、過熱蒸気５０温度を６００〜９００度等過熱蒸気容積の増大にし、噴射速度を増大燃焼ガス吸引出力を増大して、燃焼ガス燃焼により過熱蒸気吸引出力を増大する循環にし、温熱タービン８Ｐ排気過熱蒸気５０や冷熱タービン８Ｐ排気空気２８ａを合流抽出器５１で昇圧して、７９Ｘ最適圧力部に合流推進剤や酸化剤を増大噴射出力増大し、過熱蒸気の大膨張速度とスクラムジェットの高速燃焼を合体したウォータージェット７９Ｘとして、超高圧大質量の冷熱２８ａに燃料噴射着火燃焼し、燃料燃焼量の最大と過熱蒸気５０容積を水の５０００倍前後等噴射速度の最大にして、過熱蒸気噴射出力と燃焼ガス吸引出力を最大に増大噴射し、過熱蒸気噴射ノズル６Ａと燃焼ガス噴射ノズル６Ｙより最大速度噴射して、前方の水を吸引噴射するウォータージェット７９Ｘ水吸引噴射出力を最大にし、海中に窒素や酸素やＣＯ２等の栄養分を供給する自然現象高速化２ａ人類の食糧を増大して、各種中大型船舶速度を既存船舶の１０倍等に増大水抵抗僅少２ｂにして、電気＋冷熱＋温熱供給設備より受給専門の各種小型船舶まで略同様に７９Ｘ使用可能にする。
【実施例１４】
【００３８】
図１４の空気吸引ウォータージェット７９Ｓ駆動は、液体低融点合金３Ｅ駆動横型全動翼比重大物質重力太陽熱タービン８Ｐで説明とし、陸上製造の電気＋冷熱＋温熱供給設備より液体酸素や液体窒素を冷熱室に液体窒素を温熱室に圧入受給貯蔵出力圧力増大にして、図１２の水吸引ウォータージェット７９Ｕの水吸引を空気吸引の７９Ｓにし、水５２ａ吸引噴射部を増設具備して、冷熱に複数回燃料噴射燃焼して温熱を内周と外周と内周外周から複数回加熱して噴射し、空気吸引噴射して水を吸引噴射するウォータージェット７９Ｓにして、大量の空気２８ａを吸引噴射する噴射推進にし、海中に大量の窒素や酸素やＣＯ２等の栄養分を大幅に増大噴射して、海水５２ａに混合する部分を最適長さとし、海水空気混合部を追加して海中に栄養分を超高速供給混合して、図１２と同様に自然現象高速化２ａ人類の食糧を大増大し、各種中大型船舶速度を既存船舶の１０倍等に増大水抵抗僅少２ｂにして、電気＋冷熱＋温熱供給設備より受給専門の各種小型船舶まで略同様に７９Ｓ使用可能にする。
【実施例１５】
【００３９】
図１５の空気吸引ウォータージェット７９Ｔ駆動は、液体低融点合金３Ｅ駆動横型全動翼比重大物質重力太陽熱タービン８Ｐで説明として、陸上製造の電気＋冷熱＋温熱供給設備より液体酸素や液体窒素を冷熱室に液体窒素を温熱室に圧入受給貯蔵出力圧力増大にし、図１４の空気吸引ウォータージェット７９Ｓにアフターバーナー６Ｘ複数を追加して、冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射するウォータージェット７９Ｔにし、冷熱２８ａ燃焼流６Ｙに合流燃焼して、燃料燃焼量を大増大し、海中に窒素や酸素やＣＯ２を増大噴射して、図１４と同様に海水５２ａに混合する部分を最適長さとし、海水５２ａ空気２８ａ混合部を追加して海中に栄養分を超高速供給混合して、自然現象高速化２ａ人類の食糧を大増大し、各種中大型船舶速度を既存船舶の１０倍等に増大水抵抗僅少２ｂにして、電気＋冷熱＋温熱供給設備より受給専門の各種小型船舶まで略同様に７９Ｔ使用可能にする。
【実施例１６】
【００４０】
図１６の空気吸引ウォータージェット７９Ｙ駆動は、液体低融点合金３Ｅ駆動横型全動翼比重大物質重力太陽熱タービン８Ｐで説明とし、陸上製造の電気＋冷熱＋温熱供給設備より液体酸素や液体窒素を冷熱室に液体窒素を温熱室に圧入受給貯蔵出力圧力増大にして、図１３の水吸引ウォータージェット７９Ｘの水吸引を空気吸引の７９Ｙにし、水５２ａ吸引噴射部を増設具備して、冷熱に複数回燃料噴射燃焼して温熱を内周と内周外周から複数回加熱して噴射し、空気吸引噴射して水を吸引噴射するウォータージェット７９Ｙにして、空気２８ａを吸引噴射する噴射推進にし、海水に窒素や酸素やＣＯ２を混合する部分を最適長さとして、海水５２ａ空気２８ａ混合部を追加して海中に栄養分を超高速供給混合し、自然現象高速化２ａ人類の食糧を大増大して、各種中大型船舶速度は既存船舶の１０倍狙い水抵抗僅少２ｂにして、電気＋冷熱＋温熱供給設備より受給専門の各種小型船舶まで略同様に７９Ｙ使用可能にする。
【実施例１７】
【００４１】
図１７の空気吸引ウォータージェット７９Ｚ駆動は、液体低融点合金３Ｅ駆動横型全動翼比重大物質重力太陽熱タービン８Ｐで説明として、陸上製造の電気＋冷熱＋温熱供給設備より液体酸素や液体窒素を冷熱室に液体窒素を温熱室に圧入受給貯蔵出力圧力増大にし、図１６空気吸引ウォータージェット７９Ｙにアフターバーナー６Ｘ複数を追加７９Ｚにして、冷熱に複数回燃料噴射燃焼して温熱を内周と内周外周から複数回加熱して噴射し、空気吸引流複数か所にも燃料噴射燃焼燃焼流６Ｙに合流燃焼噴射して、空気吸引噴射して水を吸引噴射するウォータージェット７９Ｚにし、燃料燃焼量を大増大して海中に窒素や酸素やＣＯ２を増大噴射して、図１６と同様に海水５２ａに混合する部分を最適長さとし、海水５２ａ空気２８ａ混合部を追加して海中に栄養分を超高速供給混合して、自然現象高速化２ａ人類の食糧を大増大し、各種中大型船舶速度を既存船舶の１０倍狙い水抵抗僅少２ｂにして、電気＋冷熱＋温熱供給設備より受給専門の各種小型船舶まで略同様に７９Ｚ使用可能にする。
【実施例１８】
【００４２】
図１８の合体機関噴射部７８Ｗ駆動は、液体比重大物質水銀３Ｅ圧力でタングステン合金粉末焼結球２Ｅを混合噴射で説明し、陸上製造の電気＋冷熱＋温熱供給設備より液体酸素や液体窒素を冷熱室に液体窒素を温熱室に圧入受給貯蔵出力圧力増大にして、横型全動翼比重大物質重力太陽熱タービン８Ｐ駆動とし、図１２の水吸引ウォータージェット７９Ｕの水吸入を空気吸入にして、合体機関噴射部７８Ｗとし、宇宙上昇の場合は１〜複数段熱ポンプ１Ｇで複数回圧縮して、１〜複数段圧縮熱回収器２Ｃで複数回燃料噴射燃焼複数回熱回収し、限り無く高圧の燃焼ガス４９酸化剤と過熱蒸気５０推進剤を貯蔵限り無く増大して、燃焼ガス制御弁２４を開放し、２００度前後２４〜４００ＭＰａ燃焼ガス４９を燃焼ガス溜９５ａ燃焼器１Ｙの最上流に供給して、燃料制御弁２５ｂ開放、図に無い燃料噴射ポンプ１Ｄにより燃料管１ｂ燃料を燃料噴射ノズル６Ｘより噴射し、燃焼器１Ｙ最上流で着火燃焼外周の過熱蒸気５０を加熱燃焼温度上昇して、外周長大な過熱蒸気溜９５ｃの４００度前後２４〜４００ＭＰａ過熱蒸気５０を加熱双方の噴射出力を増大し、燃焼器１Ｙの複数燃焼ガス噴射ノズル６Ｙを過熱蒸気溜９５ｃ内部より外部に環状に具備して、複数１段噴射燃焼流の燃料噴射ノズル６Ｘより燃料噴射２段燃焼器複数最適距離環状燃焼にし、過熱蒸気５０を外周より加熱噴射出力と燃焼ガス吸引出力を増大します。
【００４３】
２段燃焼ガス燃焼流に複数の燃焼ガス噴射ノズル６Ｙを具備し、夫々の燃料噴射ノズル６Ｘより燃料噴射３段燃焼器複数最適距離環状燃焼にして、過熱蒸気５０噴射流を内周と外周から環状加熱し、大質量冷熱利用必要に応じて同様に４段燃焼以後複数燃焼にして、大気圧では１００度Ｃに近付き真空では絶対０度に近付く過熱蒸気温熱を、冷熱に複数回燃料噴射燃焼して温熱を内周と外周と内周外周から複数回加熱して噴射し、空気吸引噴射する合体機関噴射部７８Ｗにして、過熱蒸気温熱を６００度以上で噴射とし、既存ジェット機の１０〜１００倍圧力１０倍質量噴射の安価な噴射出力にして、過熱蒸気５０の低温噴射大膨張速度と燃焼ガス４９の高温ロケット噴射を合体し、夫々の長所を利用最良の組み合わせにした理論最良の合体機関噴射部７８Ｗとして、スクラムジェットの高速燃焼＋蒸気タービンの高圧噴射大膨張速度＋ロケットの真空飛行を合体し、大気中を通常飛行時には３．６万倍仕事率に近いタービン８Ｐで燃料費０飛行狙いとして、推進剤と酸化剤を保存増大し、主として過熱蒸気５０による噴射推進として、宇宙上昇準備の地球温暖化防止推進とし、円筒回転部７７Ｇを回転案内具３８の歯車装置７６で１８０度以上回転して、垂直上昇や垂直降下や逆噴射を可能にし、何処でも飛行場や１日に地球を１６周する等宇宙利用全盛にして、地球上何処でも日帰り旅行等を可能にし、電気＋冷熱＋温熱供給設備より受給専門の各種小型飛行機類まで略同様に７８Ｗ使用可能にする。
【実施例１９】
【００４４】
図１９の合体機関噴射部７８Ｖ駆動は、液体比重大物質水銀３Ｅ圧力でタングステン合金粉末焼結球２Ｅを混合噴射で説明し、陸上製造の電気＋冷熱＋温熱供給設備より液体酸素や液体窒素を冷熱室に液体窒素を温熱室に圧入受給貯蔵出力圧力増大にして、横型全動翼比重大物質重力太陽熱タービン８Ｐ使用とし、図１８合体機関噴射部７８Ｗにアフターバーナー６Ｘ複数を追加して、冷熱に複数回燃料噴射燃焼して温熱を内周と外周と内周外周から複数回加熱して噴射し、空気吸引流複数か所にも燃料噴射燃焼噴射して、空気吸引噴射する合体機関噴射部７８Ｖ冷熱２８ａ燃焼流６Ｙに合流燃焼し、燃料燃焼量大増大噴射推進出力を大増大して、合体機関噴射部７８Ｖ超高圧超大質量の冷熱２８ａ燃焼流６Ｙに合流燃焼して短時間宇宙到達にし、既存ジェット機の１０〜１００倍圧力１０倍質量噴射１０００倍噴射推進出力狙いにして、円筒回転部７７Ｇを１８０度以上回転し、垂直上昇や垂直降下や逆噴射を可能にして、何処でも飛行場や１日に地球を１６周する等宇宙利用全盛にし、地球上何処でも日帰り旅行等を可能にして、電気＋冷熱＋温熱供給設備より受給専門の各種小型飛行機類まで略同様に７８Ｖ使用可能にする。
【実施例２０】
【００４５】
図２０の合体機関噴射部７８Ａ駆動は、液体比重大物質水銀３Ｅ圧力でタングステン合金粉末焼結球２Ｅを混合噴射で説明し、陸上製造の電気＋冷熱＋温熱供給設備より液体酸素や液体窒素を冷熱室に液体窒素を温熱室に圧入受給貯蔵出力圧力増大にして、横型全動翼比重大物質重力太陽熱タービン８Ｐ使用とし、図１６空気吸引ウォータージェット７９Ｙの水吸引噴射部を削除して、合体機関噴射部７８Ａを構成、図１６同様に１段燃焼器１Ｙにより過熱蒸気５０を内周より環状加熱し、２段燃焼器１Ｙや３段燃焼器１Ｙや４段燃焼器１Ｙ等、用途に合わせた複数段燃焼器１Ｙにより、過熱蒸気５０を内周と外周より環状加熱する構成にして、冷熱に複数回燃料噴射燃焼して温熱を内周と内周外周から複数回加熱して噴射し、空気吸引噴射する合体機関噴射部７８Ａにして、高圧大質量の冷熱２８ａ燃焼流６Ｙにして短時間宇宙到達とし、既存ジェット機の１０〜１００倍圧力１０倍質量噴射１０００倍噴射推進出力狙いにして、円筒回転部７７Ｇを回転案内具３８の歯車装置７６で１８０度以上回転して、垂直上昇や垂直降下や逆噴射を可能にし、何処でも飛行場や１日に地球を１６周する等宇宙利用全盛にして、地球上何処でも日帰り旅行等を可能にし、電気＋冷熱＋温熱供給設備より受給専門の各種小型飛行機類まで略同様に７８Ａ使用可能にする。
【実施例２１】
【００４６】
図２１の合体機関噴射部７８Ｂ駆動は、液体比重大物質水銀３Ｅ圧力でタングステン合金粉末焼結球２Ｅを混合噴射で説明し、陸上製造の電気＋冷熱＋温熱供給設備より液体酸素や液体窒素を冷熱室に液体窒素を温熱室に圧入受給貯蔵出力圧力増大にして、横型全動翼比重大物質重力太陽熱タービン８Ｐ使用とし、図２０の合体機関噴射部７８Ａに複数のアフターバーナー６Ｘを追加して、合体機関噴射部７８Ｂを構成、図２０同様に１段燃焼器１Ｙにより過熱蒸気５０を内周より環状加熱し、２段燃焼器１Ｙや３段燃焼器１Ｙや４段燃焼器１Ｙ等、用途に合わせた複数段燃焼器１Ｙにより、過熱蒸気５０を内周と外周より環状加熱して、合体機関噴射部７８Ｂ超高圧超大質量の冷熱２８ａ燃焼流６Ｙに燃料噴射燃焼し、更に空気２８ａ吸引噴射流に複数のアフターバーナー６Ｘを具備して、燃料噴射して冷熱２８ａ燃焼流６Ｙに合流着火燃焼大幅な燃料燃焼量追加する構成とし、冷熱に複数回燃料噴射燃焼して、温熱を内周と内周外周から複数回加熱して噴射し、空気吸引流複数か所にも燃料噴射燃焼噴射して、空気吸引噴射する合体機関噴射部７８Ｂにし、高圧大質量冷熱２８ａ利用で短時間宇宙に到達して、既存ジェット機の１０〜１００倍圧力１０倍質量噴射１０００倍噴射推進出力狙いにし、円筒回転部７７Ｇを回転案内具３８の歯車装置７６で１８０度以上回転して、垂直上昇や垂直降下や逆噴射を可能にし、何処でも飛行場や１日に地球を１６周する等宇宙利用全盛にして、地球上何処でも日帰り旅行等を可能にし、電気＋冷熱＋温熱供給設備より受給専門の各種小型飛行機類まで略同様に７８Ｂ使用可能にする。
【産業上の利用可能性】
【００４７】
理論最良タービンを全動翼比重大物質重力タービン８Ｐや、全動翼比重大物質重力冷熱タービン８Ｐや、全動翼比重大物質重力温熱タービン８Ｐ等として、大気圧同速度同容積仕事率ｋｇ重ｍ／秒を、既存蒸気タービン発電の３．６万倍に近付け、発電機や船舶を駆動自然現象高速化２ａして窒素や酸素やＣＯ２を海水に供給し、微生物や植物プランクトンや海草等を増殖海水冷却中核にして、食物連鎖等により魚類やコンブ類等人類の食糧を増大し、各種中大型船舶速度を既存船舶の１０倍速度等狙えるため、既存の火力発電所や原子力発電所や大型船舶を０に近付けて、竜巻の巨大化海水の豪雨で陸地に塩の被覆を設ける死の地球を阻止して、人類絶滅阻止人類の食物を増大する可能性が強い。
【００４８】
太陽光加熱の空気を１〜複数段熱ポンプ１Ｇで複数回吸入複数回圧縮複数回熱回収し、２４〜４００ＭＰａ冷熱２８ａ＋温熱５０で保存使用して、タービン駆動や合体機関噴射部駆動やウォータージェット駆動して、発電機や飛行機や船舶を駆動するため、ＣＯ２排気０発電全盛や太陽熱重力飛行機全盛や太陽熱重力船舶全盛にする可能性があり、発電量は既存世界の発電量の１０倍前後になる可能性がある、船舶速度は燃料費僅少として既存船舶の１０倍速度前後水抵抗僅少２ｂになる可能性が強く、飛行機類は垂直上昇や垂直降下や逆噴射を可能にして、何処でも飛行場や１日に地球を１６周する等宇宙利用全盛にし、地球上何処でも日帰り旅行等にする可能性がある。
【００４９】
各種重力タービン発電では太陽光加熱等各種空気を、１〜複数段熱ポンプ１Ｇで複数回吸入複数回圧縮複数回熱回収して、２４〜４００ＭＰａ冷熱２８ａ＋温熱５０に分割保存使用し、発電機を駆動自然現象高速化２ａして窒素や酸素やＣＯ２を海水に供給海水冷却するため、燃料費０の電気駆動全盛や工場電化全盛や家庭電化全盛や温熱利用全盛や冷熱利用全盛にして、蓄電池駆動の自動車類全盛や船舶類全盛等蓄電池駆動全盛にし、既存の火力発電や原子力発電の使用熱量全部で海水温度７℃上昇を逆転海水冷却として、竜巻や台風や地震や津波や旱魃や集中豪雨の巨大化を阻止する可能性があります。
【符号の説明】
【００５０】
０：各種エネルギ保存サイクル合体機関（各種熱エネルギは太陽熱や地熱で加熱等空気温度として熱ポンプで圧縮高圧の冷熱＋温熱に分割保存使用・５００以下液体金属使用時は保温装置で保温保存使用・衝撃エネルギはタービン翼や小径金属球にシリコン樹脂被覆やフッ素樹脂被覆を設け作用時間の保存延長に使用・重力エネルギは上昇装置により上昇保存使用する各種エネルギ合体エンジン）    ０：各種エネルギ保存サイクル合体機関及び合体方法（各種熱エネルギは太陽熱や地熱で加熱等空気温度として熱ポンプで圧縮高圧の冷熱＋温熱に分割保存使用・５００以下液体金属使用時は保温装置で保温保存使用・衝撃エネルギはタービン翼や小径金属球にシリコン樹脂被覆やフッ素樹脂被覆を設け作用時間の保存延長に使用・重力エネルギは上昇装置により上昇保存使用する各種エネルギ合体エンジン及び各種エネルギ合体手段）  １：発電機、  １Ａ：電気＋冷熱＋温熱供給設備（電気自動車の電気供給設備と同様に電気供給設備や冷熱供給設備や温熱供給設備を設けて蓄電池圧力エンジン自動車や蓄電池ウオータージェット船舶や蓄電池合体機関噴射部飛行機等電気利用全盛や冷熱利用全盛や温熱利用全盛にする）  １Ｂ：圧力エンジン（冷熱＋温熱供給設備より受給して冷熱に燃料噴射燃焼往復機関を駆動等冷熱＋温熱温度圧力容積を変化させて駆動するエンジン）  １Ｃ：アルコール、  １Ｄ：燃料噴射ポンプ、  １Ｆ：復水ポンプ、    １Ｇ：１〜複数段熱ポンプ（温熱５０を温熱室３Ｂに＋冷熱２８ａを冷熱室３Ａに分割保存冷熱回収量増大後圧力無限上昇狙う）  １Ｙ：燃焼器（超高圧高速燃焼で過熱蒸気５０加熱が特徴）  １ｂ：燃料管（燃料噴射温度が最適温度になるように具備する）    １ｄ：水銀、  １ｇ：重力加速部、  １ｈ：横軸、  ２：太陽光加熱器（長レンズで太陽光を直線状に集めて高温部形成吸入空気を加熱）  ２ａ：自然現象高速化（空気中では変化略０の残飯類が近くの川に移動すると一夜で０に近付く膨大な微生物量を人類の食糧増大に利用）    ２ａ：自然現象高速化（発電では海水に冷熱２８ａを混合自然現象高速化した海水を海底に供給窒素や酸素やＣＯ２等の栄養分を供給微生物増大して魚類やコンブ等食糧大増大する装置）    ２ａ：自然現象高速化（船舶では海中に窒素や酸素やＣＯ２等の栄養分を供給微生物の消化能力を森林の数万倍狙い植物プランクトンや海草等を増殖食物連鎖等により魚類やコンブ類等人類の食糧を増大）    ２ｂ：水抵抗僅少（船底に空気＋燃焼ガス＋過熱蒸気を超高速噴射して水抵抗僅少にする）    ２ｃ：断熱材、  ２ｄ：長レンズ（凸レンズ断面を直線状に延長矩形とし複数使用で焦点距離最短レンズ幅最大狙う）  ２ｅ：水面、  ２Ａ：耐熱材、  ２Ｂ：熱吸収材、  ２Ｃ：１〜複数段圧縮熱回収器（１〜複数段熱ポンプで複数回圧縮複数回高温として２Ｃの２Ｘ２Ｙ２Ｚで複数回熱回収の容器で冷熱＋温熱の質量圧力無限増大狙う）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）    ２Ｅ：比重大物質（製造法は小径程衝撃エネルギが低減するため例えば溶融鋼を大気中に噴射高速衝突粉��空気冷却水冷却で超小径鋼球等製造）  ２Ｅ：比重大物質（シリコン樹脂被覆やケイ素樹脂被覆の、被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）      ２Ｆ：比重大物質上昇装置（重力エネルギを上昇保存）  ２Ｈ：冷熱海水混合器（海水に冷熱を混合自然現象高速化の過程で過熱蒸気気化熱を冷却復水にする装置）    ２Ｘ：空気熱交換器（空気を熱ポンプで圧縮高温として熱回収圧縮空気質量無限増大や圧力無限上昇狙う）    ２Ｙ：水熱交換器（高温空気や燃焼ガスで過熱蒸気製造）    ２Ｚ：比重大物質熱交換器（５００度以下液体金属の温度管理等で使用）    ３Ａ：冷熱室（高圧冷熱の保存室）  ３Ｂ：温熱室（高圧温熱の保存室）  ３Ｄ：電気＋冷熱＋温熱供給設備（発電製造物の供給設備から供給し自動車や船舶や飛行機等各種移動手段を駆動や加熱冷却等電気・冷熱・温熱利用全盛にする）  ３Ｅ：比重大物質（水銀や水等常温で液体の比重大物質）    ３Ｅ：比重大物質（低融点合金の５００度以下液体で安定高温液体合金）    ３Ｆ：冷熱温熱往復機関（往復機関の吸気弁を給気弁として冷熱に燃料噴射燃焼して外周の温熱や窒素等を加熱双方の加熱温度を最適にする膨張回数でピストン両面又は片面駆動する）  ３Ｇ：冷熱往復機関（往復機関の吸気弁を給気弁として冷熱に燃料噴射燃焼して外周の窒素を加熱双方の加熱温度を最適にする膨張回数でピストン両面又は片面駆動する）  ４Ｘ：タービン翼断面（断面積を拡大表面積増大）    ６Ａ：過熱蒸気噴射ノズル、  ６Ｂ：圧縮空気噴射ノズル、  ６Ｅ：比重大物質噴射ノズル、  ６Ｗ：比重大物質加速機（比重利用で上部より空気圧力液体比重大物質３Ｅ比重大物質２Ｅとし、３Ｅ圧力で２Ｅ混合噴射）  ６Ｘ：燃料噴射ノズル、  ６Ｘ：アフターバーナー（吸引空気流に燃料噴射冷熱２８ａ燃焼流６Ｙに合流燃焼して燃料燃焼量大増大で宇宙上昇）    ６Ｙ：燃焼ガス噴射ノズル（冷熱２８ａ燃焼流）    ７Ａ：プロペラ、  ７Ｂ：回転翼、  ７Ｃ：スクリュー、  ８ｃ：タービン翼（実験最良断面や形状に順次移行するドラム缶外周形状環状多数直線長大タービン翼）  ８ｄ：重力球誘導曲面（重力球を内部に誘導する曲面を設ける）  ８Ｐ：横型全動翼タービン（対向全動翼弾み車タービン直列全動翼弾み車タービン食込全動翼弾み車タービン）  ８Ｐ：横型全動翼タービン（ドラム缶形プラスチックや軽合金で軽量化や超硬合金貼付やシリコン樹脂被覆やフッ素樹脂被覆を選択使用実験最良に移行）  ８Ｐ：横型全動翼比重大物質重力太陽熱タービン（既存蒸気タービンは静翼で堰き止め出力が０に近付くため全動翼を必須とし仕事率が白金球の１／３．６万等僅少なため比重大物質重力使用必須とし太陽光加熱空気等空気を１〜複数段熱ポンプ＋圧縮熱回収器で圧縮熱回収し温熱＋冷熱に分割保存タービン駆動＋各種用途に使用）    ８Ｐ：横型全動翼比重大物質重力タービン（温熱駆動＋冷熱駆動にすると使用落差が限定されるため落差使用を無制限として使用する場合に使用する）    ９：段落毎環状ネジ組立、  １０：船体、  １０Ａ：船室、  １０ｂ：操縦室、  １０ｃ：制御室、  １０ｄ：客室、  １０ｅ：貨���室、  １６Ａ：水平軸、  ２４：燃焼ガス制御弁、    ２４Ａ：圧縮空気制御弁、  ２５：過熱蒸気制御弁、  ２５ｂ：燃料制御弁、  ２８ａ：空気、    ２８ａ：冷熱（空気２８ａを熱ポンプで圧縮して圧縮空気熱量の過熱蒸気５０温熱＋液体酸素や液体窒素を含む圧縮空気２８ａ冷熱に分割保存）    ２８ｂ：圧縮空気熱量、  ２８Ａ：吸入空気路、  ２８Ｂ：空気路入口、  ３８：回転案内具、  ３８ａ：飛行胴、  ３８ｂ：飛行翼、  ３８ｃ：飛行尾翼、  ３８ｄ：垂直翼、  ３８ｅ：翼前縁心、  ３８ｇ：水上翼、  ３８ｈ：浮上艇、  ３８Ｂ：空気吸引噴射船舶（７９Ｓ７９Ｔ７９Ｙ７９Ｚ具備）    ３８Ｃ：水吸引噴射船舶（７９Ｕ７９Ｘ具備）  ３９Ａ：太陽熱重力飛行機、  ３９Ｂ：太陽熱重力回転飛行機、    ３９Ｃ：太陽熱重力ヘリコプター、  ３９Ｄ：スクリュー船舶、    ３９Ｇ：太陽熱重力飛行船舶、    ４０Ａ：方向舵、  ４９：燃焼ガス、  ５０：過熱蒸気、  ５０：温熱（空気２８ａを熱ポンプで圧縮して圧縮空気熱量の過熱蒸気５０温熱＋圧縮空気２８ａ冷熱に分割保存）  ５１：空気抽出器、  ５１：合流抽出器（合流するための抽出器）    ５１Ａ：空気抽出室、  ５２ａ：水、  ５２ａ：海洋深層水、  ５２ｂ：高温水、  ５２ｄ：温熱（５０から変化）    ５２ｅ：冷熱（２８ａから変化）    ５５Ｂ：変速装置、  ６０Ａ：内側軸装置（タービン翼具備装置）  ６０Ｂ：外側軸装置（タービン翼具備装置）  ６０Ｃ：内側動翼群（内側と外側が反対回転）  ６０Ｄ：外側動翼群（内側と外側が反対回転）    ７６：歯車装置（磁気摩擦動力伝達装置を含む）  ７７Ｂ：半筒形外箱、  ７７Ｆ：噴射部外箱、  ７７Ｇ：円筒回転部、  ７７ａ：タービン外箱、  ７８Ａ：合体機関噴射部（冷熱に複数回燃料噴射燃焼して温熱を内周と内周外周から複数回加熱して噴射し、空気吸引噴射する）    ７８Ｂ：合体機関噴射部（冷熱に複数回燃料噴射燃焼して温熱を内周と内周外周から複数回加熱して噴射し、空気吸引流複数か所にも燃料噴射燃焼噴射して、空気吸引噴射する）  ７８Ｖ：合体機関噴射部（冷熱に複数回燃料噴射燃焼して温熱を内周と外周と内周外周から複数回加熱して噴射し、空気吸引流複数か所にも燃料噴射燃焼噴射して、空気吸引噴射する）  ７８Ｗ：合体機関噴射部（冷熱に複数回燃料噴射燃焼して温熱を内周と外周と内周外周から複数回加熱して噴射し、空気吸引噴射する）  ７９Ｓ：ウォータージェット（冷熱に複数回燃料噴射燃焼して温熱を内周と外周と内周外周から複数回加熱して噴射し、空気吸引噴射して水を吸引噴射する）  ７９Ｔ：ウォータージェット（冷熱に複数回燃料噴射燃焼して温熱を内周と外周と内周外周から複数回加熱して噴射し、空気吸引流複数か所にも燃料噴射燃焼噴射して、空気吸引噴射して水を吸引噴射する）  ７９Ｕ：ウォータージェット（冷熱に複数回燃料噴射燃焼して温熱を内周と外周と内周外周から複数回加熱して噴射し、水を吸引噴射する）    ７９Ｘ：ウォータージェット（冷熱に複数回燃料噴射燃焼して温熱を内周と内周外周から複数回加熱して噴射し、水を吸引噴射する）    ７９Ｙ：ウォータージェット（冷熱に複数回燃料噴射燃焼して温熱を内周と内周外周から複数回加熱して噴射し、空気吸引噴射して水を吸引噴射する）  ７９Ｚ：ウォータージェット（冷熱に複数回燃料噴射燃焼して温熱を内周と内周外周から複数回加熱して噴射し、空気吸引流複数か所にも燃料噴射燃焼噴射して、空気吸引噴射して水を吸引噴射する）    ８０：軸受、  ８０ａ：推力軸受  ８０Ａ：継手、  ８０Ｂ：締付具、  ８４：二重反転磁気摩擦装置（固定部具備内側動翼群と外側動翼群を略同速度反対回転にする装置）  ８４Ｙ：二重反転歯車装置（既存技術で同様にする）  ９５ａ：燃焼ガス溜、  ９５ｂ：圧縮空気溜、  ９５ｃ：過熱蒸気溜、  １０３：冷熱回収器、
【図１】
2012189038.tif 000003
【図２】
2012189038.tif 000004
【図３】
2012189038.tif 000005
【図４】
2012189038.tif 000006
【図５】
2012189038.tif 000007
【図６】
2012189038.tif 000008
【図７】
2012189038.tif 000009
【図８】
2012189038.tif 000010
【図９】
2012189038.tif 000011
【図１０】
2012189038.tif 000012
【図１１】
2012189038.tif 000013
【図１２】
2012189038.tif 000014
【図１３】
2012189038.tif 000015
【図１４】
2012189038.tif 000016
【図１５】
2012189038.tif 000017
【図１６】
2012189038.tif 000018
【図１７】
2012189038.tif 000019
【図１８】
2012189038.tif 000020
【図１９】
2012189038.tif 000021
【図２０】
2012189038.tif 000022
【図２１】
2012189038.tif 000023